(57)【要約】  エネルギーマネジメントシステムは、判定手段（１０３）と、使用情報表示手段（１０５）と、スケジュール入力手段（１０６）と、シミュレート手段（１０８）と、予測値表示手段（１１０）とを備える。判定手段（１０３）は、電気機器の所定期間中の消費電力量（計測値）に基づいて電気機器が使用されたかどうかを単位時間毎に判定する。使用情報表示手段（１０５）は、判定手段（１０３）の判定結果に基づいて電気機器が使用されたどうかを単位時間毎に表示する。スケジュール入力手段（１０６）は、所定期間中の電気機器の動作を単位時間毎に定義するスケジュール情報の入力をユーザに要求する。シミュレート手段（１０８）は、スケジュール入力手段（１０６）で入力されたスケジュール情報どおりに電気機器が動作した場合の消費電力量（予測値）を計測値に基づいてシミュレートする。予測値表示手段（１１０）は、シミュレート手段（１０８）で演算された予測値を表示する。
2009151078.tif 000002
【特許請求の範囲】
【請求項１】
機器を管理するエネルギーマネジメントシステムであって、
所定期間中に上記機器で使用されたエネルギー資源の量を計測した値を示す計測値を取得する取得手段と、
上記取得手段が取得した上記計測値を記憶する計測値記憶手段と、
上記計測値記憶手段に記憶された上記計測値に基づいて上記機器が使用されたかどうかを単位時間毎に判定する判定手段と、
上記判定手段が判定した結果を示す判定結果を記憶する判定記憶手段と、
上記判定記憶手段に記憶された上記判定結果に基づいて上記機器が使用されたどうかを上記単位時間毎に表示する使用情報表示手段と、
上記所定期間中の上記機器の動作を上記単位時間毎に定義するスケジュール情報の入力を受け付けるスケジュール入力手段と、
上記スケジュール入力手段を用いて入力された上記スケジュール情報を記憶するスケジュール記憶手段と、
上記スケジュール記憶手段に記憶された上記スケジュール情報にしたがって上記機器が動作した場合に上記機器で使用されるエネルギー資源の量を示す予測値を上記計測値記憶手段に記憶された上記計測値に基づいて算出するシミュレート手段と、
上記シミュレート手段で算出された上記予測値を記憶する予測値記憶手段と、
上記予測値記憶手段に記憶された上記予測値を表示する予測情報表示手段とを備えることを特徴とするエネルギーマネジメントシステム。
【請求項２】
上記計測値記憶手段に記憶された計測値と上記スケジュール記憶手段に記憶された上記スケジュール情報とに基づいて上記機器の使用が有益か無駄かを上記単位時間毎に評価する評価手段と、
上記評価手段が評価した結果を示す評価結果を記憶する評価記憶手段と、
上記評価記憶手段に記憶された上記評価結果に基づいて上記機器の使用が有益か無駄かを上記単位時間毎に表示する評価表示手段とを備えることを特徴とする請求項１記載のエネルギーマネジメントシステム。
【請求項３】
上記評価手段は、上記計測値記憶手段に記憶された上記計測値の時間変化が所定の条件を満たしていれば、上記機器の使用が無駄であると評価するように構成されることを特徴とする請求項２記載のエネルギーマネジメントシステム。
【請求項４】
上記所定の条件は、上記計測値が所定の閾値を越える期間が所定の時間継続されたことであることを特徴とする請求項３記載のエネルギーマネジメントシステム。
【請求項５】
上記機器の種類と上記機器が設置されている場所を示す設置エリアとを上記機器毎に記憶する機器情報記憶手段を備え、
上記評価手段は、上記機器情報記憶手段に記憶された上記機器毎の上記種類と上記設置エリアに基づいて同じ上記設置エリアに上記種類が異なる複数の上記機器があるかどうかを確認し、同じ上記設置エリアに上記種類が異なる複数の上記機器がある場合、上記各機器の上記種類と上記判定結果との組み合わせに基づいて上記機器の使用が有益か無駄かを評価するように構成されることを特徴とする請求項２記載のエネルギーマネジメントシステム。
【請求項６】
上記評価手段は、上記機器の使用が無駄と判断された時間が所定の例外条件を満たす場合、当該時間での上記機器の使用を有益と評価するように構成されることを特徴とする請求項２記載のエネルギーマネジメントシステム。
【請求項７】
上記各機器が設置されている場所を示す設置エリアを上記機器毎に記憶する情報記憶手段と、
上記設置エリア内の人の存否を検出する人検出手段とを備え、
上記例外条件は、上記機器の上記設置エリアで上記人検出手段が人を検出したことであることを特徴とする請求項６記載のエネルギーマネジメントシステム。
【請求項８】
上記使用情報表示手段は、上記機器で使用されたエネルギー資源の量を数値で表示するように構成されることを特徴とする請求項２記載のエネルギーマネジメントシステム。
【請求項９】
上記機器を制御する制御装置と、上記制御装置と通信する設定装置とを備え、
上記制御装置は、上記スケジュール情報を記憶する設定記憶手段と、上記設定記憶手段に記憶された上記スケジュール情報にしたがって上記機器を制御する機器制御手段と、上記設定装置から上記スケジュール情報を受信するスケジュール受信手段と、上記設定記憶手段に記憶された上記スケジュール情報の内容を上記スケジュール受信手段で受信された上記スケジュール情報の内容に変更するスケジュール変更手段とを備え、
上記設定装置は、上記制御装置の上記設定記憶手段に記憶された上記スケジュール情報の変更の決定を受け付ける決定手段と、上記設定記憶手段に記憶された上記スケジュール情報を記憶する現スケジュール記憶手段と、上記スケジュール記憶手段に記憶された上記スケジュール情報と上記現スケジュール記憶手段に記憶された上記スケジュール情報とに基づいて上記スケジュール情報が変更されたかどうかを確認する確認手段と、上記確認手段が確認した結果を示す確認結果を記憶する確認記憶手段と、上記決定手段を用いて上記設定記憶手段に記憶された上記スケジュール情報の変更が決定されると上記確認記憶手段に記憶された確認結果を参照して変更された上記スケジュール情報だけを上記制御装置に送信するスケジュール送信手段とを備えることを特徴とする請求項１記載のエネルギーマネジメントシステム。
【請求項１０】
複数の計測装置と、上記各計測装置と通信する監視装置と、上記監視装置と通信する端末装置とを備え、
上記端末装置は、上記取得手段と、上記計測値記憶手段と、上記判定手段と、上記判定記憶手段と、上記使用情報表示手段と、上記スケジュール入力手段と、上記スケジュール記憶手段と、上記シミュレート手段と、上記予測値記憶手段と、上記予測情報表示手段とを備え、
上記各計測装置は、上記所定期間中に上記機器で使用されたエネルギー資源の量を計測して上記計測値を得る計測手段と、上記計測手段で得た上記計測値を記憶する上記第１記憶手段とを備え、
上記監視装置は、上記各計測装置の上記第１記憶手段から上記計測値を取得する計測値取得手段と、上記計測値取得手段が取得した上記計測値を記憶する第２記憶手段とを備え、
上記取得手段は、上記監視装置の上記第２記憶手段から上記計測値を取得するように構成されることを特徴とする請求項１記載のエネルギーマネジメントシステム。
【請求項１１】
機器を管理するエネルギーマネジメントシステムに用いられるプログラムであって、
所定期間中に上記機器で使用されたエネルギー資源の量を計測した値を示す計測値を取得する取得手段と、
上記取得手段が取得した上記計測値を記憶する計測値記憶手段と、
上記計測値記憶手段に記憶された上記計測値に基づいて上記機器が使用されたかどうかを単位時間毎に判定する判定手段と、
上記判定手段が判定した結果を示す判定結果を記憶する判定記憶手段と、
上記判定記憶手段に記憶された上記判定結果に基づいて上記機器が使用されたどうかを上記単位時間毎に表示する使用情報表示手段と、
上記所定期間中の上記機器の動作を上記単位時間毎に定義するスケジュール情報の入力に用いられるスケジュール入力手段と、
上記スケジュール入力手段を用いて入力された上記スケジュール情報を記憶するスケジュール記憶手段と、
上記スケジュール記憶手段に記憶された上記スケジュール情報どおりに上記機器が動作した場合に上記機器で使用されるエネルギー資源の量を示す予測値を上記計測値記憶手段に記憶された上記計測値に基づいて算出するシミュレート手段と、
上記シミュレート手段で算出された上記予測値を記憶する予測値記憶手段と、
上記予測値記憶手段に記憶された上記予測値を表示する予測情報表示手段としてコンピュータを機能させるためのプログラム。
【発明の詳細な説明】
【技術分野】
【０００１】
本発明は、エネルギーマネジメントシステム及びコンピュータプログラムに関する。
【背景技術】
【０００２】
従来から、日本国公開特許公報８−５０５０１に見られるようなエネルギーマネジメントシステムシステム（ＥＭＳ）がある。【０００３】
このエネルギーマネジメントシステムシステムは、建物や施設内に設置された電気機器の電力使用量のデータ・環境情報（温度や湿度）や各電気機器の制御情報などのデータを収集し、所定の期間（例えば日、月、年の単位）毎に収集したデータを集計して、電力消費量をグラフ（折れ線グラフや棒グラフ）で表示する。【０００４】
このようなエネルギーマネジメントシステムは、電気機器の動作を指示するスケジュール情報に基づいて電気機器を制御する。そのため、電気機器の消費電力量を低減するためには、スケジュールを適切に設定する必要がある。【０００５】
しかしながら、上述のエネルギーマネジメントシステムでは、収集した電力消費量をグラフで表示するだけである。【０００６】
そのため、スケジュール情報を変更した際に電力消費量がどの程度低減されるかは、エネルギー管理技術に精通し十分な知識を有する管理者にしか判らなかった。
【発明の開示】
【０００７】
本発明は上記問題点に鑑みて為された。本発明の目的は、エネルギー資源の使用量を低減するスケジュール情報を作成できるエネルギーマネジメントシステム及びコンピュータプログラムを提供することにある。
【０００８】
本発明に係るエネルギーマネジメントシステムは、機器を管理するエネルギーマネジメントシステムであって、取得手段と、計測値記憶手段と、判定手段と、判定記憶手段と、使用情報表示手段と、スケジュール入力手段と、スケジュール記憶手段と、シミュレート手段と、予測値記憶手段と、予測情報表示手段とを備える。上記取得手段は、所定期間中に上記機器で使用されたエネルギー資源の量を計測した値を示す計測値を取得するように構成される。上記計測値記憶手段は、上記取得手段が取得した上記計測値を記憶するように構成される。上記判定手段は、上記計測値記憶手段に記憶された上記計測値に基づいて上記機器が使用されたかどうかを単位時間毎に判定するように構成される。上記判定記憶手段は、上記判定手段が判定した結果を示す判定結果を記憶するように構成される。上記使用情報表示手段は、上記判定記憶手段に記憶された上記判定結果に基づいて上記機器が使用されたどうかを上記単位時間毎に表示するように構成される。上記スケジュール入力手段は、上記所定期間中の上記機器の動作を上記単位時間毎に定義するスケジュール情報の入力を受け付けるように構成される。上記スケジュール記憶手段は、上記スケジュール入力手段を用いて入力された上記スケジュール情報を記憶するように構成される。上記シミュレート手段は、上記スケジュール記憶手段に記憶された上記スケジュール情報にしたがって上記機器が動作した場合に上記機器で使用されるエネルギー資源の量を示す予測値を上記計測値記憶手段に記憶された上記計測値に基づいて算出するように構成される。上記予測値記憶手段は、上記シミュレート手段で算出された上記予測値を記憶するように構成される。上記予測情報表示手段は、上記予測値記憶手段に記憶された上記予測値を表示するように構成される。
【０００９】
この発明によれば、上記単位時間毎に上記機器が使用されたか否かを知ることができる。したがって、ユーザは、上記機器が使用されたかどうかを考慮しながら上記スケジュール情報を入力することができる。そして、上記スケジュール情報が入力されると、入力された上記スケジュール情報どおりに上記機器が動作した場合のエネルギー資源の使用量が表示される。そのため、上記スケジュール情報の変更によりどの程度エネルギー資源を節約できるかをユーザが容易に理解できるようになる。その結果、エネルギー資源の使用量を低減するための上記スケジュール情報を上記機器の使用形態に合わせて容易に作成できる。
【００１０】
好ましくは、評価手段と、評価記憶手段と、評価表示手段とをさらに備える。上記評価手段は、上記計測値記憶手段に記憶された計測値と上記スケジュール記憶手段に記憶された上記スケジュール情報とに基づいて上記機器の使用が有益か無駄かを上記単位時間毎に評価するように構成される。上記評価記憶手段は、上記評価手段が評価した結果を示す評価結果を記憶するように構成される。上記評価表示手段は、上記評価記憶手段に記憶された上記評価結果に基づいて上記機器の使用が有益か無駄かを上記単位時間毎に表示するように構成される。
【００１１】
この場合、上記機器の使用が有益か無駄かを容易に理解でき、上記スケジュール情報の変更を適切に行える。
【００１２】
好ましくは、上記評価手段は、上記計測値記憶手段に記憶された上記計測値の時間変化が所定の条件を満たしていれば、上記機器の使用が無駄であると評価するように構成される。
【００１３】
より好ましくは、上記所定の条件は、上記計測値が所定の閾値を越える期間が所定の時間継続されたことである。
【００１４】
この場合、上記機器の使用が有益か否かを容易に判断できる。
【００１５】
好ましくは、上記機器の種類と上記機器が設置されている場所を示す設置エリアとを上記機器毎に記憶する機器情報記憶手段を備える。上記評価手段は、上記機器情報記憶手段に記憶された上記機器毎の上記種類と上記設置エリアに基づいて同じ上記設置エリアに上記種類が異なる複数の上記機器があるかどうかを確認するように構成される。上記評価手段は、同じ上記設置エリアに上記種類が異なる複数の上記機器がある場合、上記各機器の上記種類と上記判定結果との組み合わせに基づいて上記機器の使用が有益か無駄かを評価するように構成される。
【００１６】
この場合、上記機器の使用が有益か否かを確実に判断できる。
【００１７】
好ましくは、上記評価手段は、上記機器の使用が無駄と判断された時間が所定の例外条件を満たす場合、当該時間での上記機器の使用を有益と評価するように構成される。
【００１８】
この場合、上記機器の使用が有益か否かをより正確に判断できる。
【００１９】
好ましくは、上記各機器が設置されている場所を示す設置エリアを上記機器毎に記憶する情報記憶手段と、上記設置エリア内の人の存否を検出する人検出手段とを備える。上記例外条件は、上記機器の上記設置エリアで上記人検出手段が人を検出したことである。
【００２０】
この場合、上記機器の上記設置エリアに人がいる場合には、上記機器の使用が無駄ではないと評価される。そのため、実情に沿った評価が行える。
【００２１】
好ましくは、上記使用情報表示手段は、上記機器で使用されたエネルギー資源の量を数値で表示するように構成される。
【００２２】
この場合、上記スケジュール情報の設定に応じた上記機器でのエネルギー資源の使用量をより詳細に把握できる。
【００２３】
好ましくは、上記機器を制御する制御装置と、上記制御装置と通信する設定装置とを備える。上記制御装置は、設定記憶手段と、機器制御手段と、スケジュール受信手段と、スケジュール変更手段とを備える。上記設定記憶手段は、上記スケジュール情報を記憶するように構成される。上記機器制御手段は、上記設定記憶手段に記憶された上記スケジュール情報にしたがって上記機器を制御するように構成される。上記スケジュール受信手段は、上記設定装置から上記スケジュール情報を受信するように構成される。上記スケジュール変更手段は、上記設定記憶手段に記憶された上記スケジュール情報の内容を上記スケジュール受信手段で受信された上記スケジュール情報の内容に変更するように構成される。上記設定装置は、決定手段と、現スケジュール記憶手段と、確認手段と、確認記憶手段と、スケジュール送信手段とを備える。上記決定手段は、上記制御装置の上記設定記憶手段に記憶された上記スケジュール情報の変更の決定を受け付けるように構成される。上記現スケジュール記憶手段は、上記設定記憶手段に記憶された上記スケジュール情報を記憶するように構成される。上記確認手段は、上記スケジュール記憶手段に記憶された上記スケジュール情報と上記現スケジュール記憶手段に記憶された上記スケジュール情報とに基づいて上記スケジュール情報が変更されたかどうかを確認するように構成される。上記確認記憶手段は、上記確認手段が確認した結果を示す確認結果を記憶するように構成される。上記スケジュール送信手段は、上記決定手段を用いて上記設定記憶手段に記憶された上記スケジュール情報の変更が決定されると上記確認記憶手段に記憶された確認結果を参照して変更された上記スケジュール情報だけを上記制御装置に送信するように構成される。
【００２４】
この場合、上記スケジュール情報の変更を容易に反映させることができる。
【００２５】
また、好ましくは、複数の計測装置と、上記各計測装置と通信する監視装置と、上記監視装置と通信する端末装置とを備える。上記端末装置は、上記取得手段と、上記計測値記憶手段と、上記判定手段と、上記判定記憶手段と、上記使用情報表示手段と、上記スケジュール入力手段と、上記スケジュール記憶手段と、上記シミュレート手段と、上記予測値記憶手段と、上記予測情報表示手段とを備える。上記各計測装置は、上記所定期間中に上記機器で使用されたエネルギー資源の量を計測して上記計測値を得る計測手段と、上記計測手段で得た上記計測値を記憶する上記第１記憶手段とを備える。上記監視装置は、上記各計測装置の上記第１記憶手段から上記計測値を取得する計測値取得手段と、上記計測値取得手段が取得した上記計測値を記憶する第２記憶手段とを備える。上記取得手段は、上記監視装置の上記第２記憶手段から上記計測値を取得するように構成される。
【００２６】
本発明に係るプログラムは、機器を管理するエネルギーマネジメントシステムに用いられるプログラムであって、コンピュータを、取得手段と、計測値記憶手段と、判定手段と、判定記憶手段と、使用情報表示手段と、スケジュール入力手段と、スケジュール記憶手段と、シミュレート手段と、予測値記憶手段と、予測情報表示手段として機能させる。上記取得手段は、所定期間中に上記機器で使用されたエネルギー資源の量を計測した値を示す計測値を取得するように構成される。上記計測値記憶手段は、上記取得手段が取得した上記計測値を記憶するように構成される。上記判定手段は、上記計測値記憶手段に記憶された上記計測値に基づいて上記機器が使用されたかどうかを単位時間毎に判定するように構成される。上記判定記憶手段は、上記判定手段が判定した結果を示す判定結果を記憶するように構成される。上記使用情報表示手段は、上記判定記憶手段に記憶された上記判定結果に基づいて上記機器が使用されたどうかを上記単位時間毎に表示するように構成される。上記スケジュール入力手段は、上記所定期間中の上記機器の動作を上記単位時間毎に定義するスケジュール情報の入力を受け付けるように構成される。上記スケジュール記憶手段は、上記スケジュール入力手段を用いて入力された上記スケジュール情報を記憶するように構成される。上記シミュレート手段は、上記スケジュール記憶手段に記憶された上記スケジュール情報にしたがって上記機器が動作した場合に上記機器で使用されるエネルギー資源の量を示す予測値を上記計測値記憶手段に記憶された上記計測値に基づいて算出するように構成される。上記予測値記憶手段は、上記シミュレート手段で算出された上記予測値を記憶するように構成される。上記予測情報表示手段は、上記予測値記憶手段に記憶された上記予測値を表示するように構成される。
【００２７】
この発明によれば、上記単位時間毎に上記機器が使用されたか否かを知ることができる。したがって、ユーザは、上記機器が使用されたかどうかを考慮しながら上記スケジュール情報を入力することができる。そして、上記スケジュール情報が入力されると、入力された上記スケジュール情報どおりに上記機器が動作した場合のエネルギー資源の使用量が表示される。そのため、上記スケジュール情報の変更によりどの程度エネルギー資源を節約できるかをユーザが容易に理解できるようになる。その結果、エネルギー資源の使用量を低減するための上記スケジュール情報を上記機器の使用形態に合わせて容易に作成できる。
【図面の簡単な説明】
【００２８】
【図１】本発明の一実施形態のエネルギーマネジメントシステムの端末装置のブロック図である。
【図２】同上のエネルギーマネジメントシステムの概略構成図である。
【図３】同上のエネルギーマネジメントシステムの制御装置のブロック図である。
【図４】同上における中央監視盤の概略図である。
【図５】同上における端末装置の概略図である。
【図６】同上の動作を説明するフローチャートである。
【図７】同上における端末装置に表示される初期画面の説明図である。
【図８】同上における端末装置に表示される設定画面の説明図である。
【図９】同上における端末装置に表示される設定画面の説明図である。
【図１０】同上における端末装置に表示される画面の説明図である。
【図１１】同上における端末装置に表示される画面の説明図である。
【図１２】同上における端末装置に表示される画面の説明図である。
【図１３】同上における端末装置に取り込まれる消費電力量の計測データの説明図である。
【図１４】同上における端末装置に表示される設定画面の説明図である。
【図１５】同上における端末装置に表示されるシミュレーション画面の説明図である。
【図１６】同上における端末装置に表示されるシミュレーション画面の説明図である。
【図１７】同上における端末装置に表示されるシミュレーション画面の説明図である。
【図１８】同上における端末装置に表示されるシミュレーション画面の説明図である。
【図１９】同上における端末装置に表示されるシミュレーション画面の説明図である。
【図２０】同上における端末装置に表示されるシミュレーション画面の説明図である。
【図２１】同上における端末装置に表示されるシミュレーション画面の説明図である。
【図２２】同上における端末装置に表示されるシミュレーション画面の説明図である。
【図２３】同上における端末装置に表示されるシミュレーション画面の説明図である。
【図２４】同上における端末装置に表示されるシミュレーション画面の説明図である。
【図２５】同上における端末装置に表示されるシミュレーション画面の説明図である。
【図２６】同上における端末装置に表示されるシミュレーション画面の説明図である。
【図２７】同上における端末装置の判定ロジックを説明する説明図である。
【図２８】同上のエネルギーマネジメントシステムの変形例の概略構成図である。
【発明を実施するための最良の形態】
【００２９】
本発明に係る一実施形態のエネルギーマネジメントシステムは、例えばテナントビルなどの建物Ｂ内に配設された機器の管理に用いられる。本実施形態のエネルギーマネジメントシステムによって管理される機器は、後述するスケジュール情報にしたがって動作する機器であり、例えば、照明器具Ｌ１〜Ｌ４や空調機ＡＣ１〜ＡＣ４などである。【００３０】
本実施形態のエネルギーマネジメントシステムは、図２に示すように、端末装置１Ａ，１Ｂと、監視装置（中央監視盤）２と、計測装置３と、制御装置５Ａ，５Ｂとを備える。監視装置２は、計測装置３と制御装置５Ａ，５Ｂとにインターネットのような通信ネットワークＮＴを介して接続される。また、計測装置３と制御装置５Ａ，５Ｂとには、それぞれグローバルＩＰアドレスが設定される。計測装置３と各制御装置５Ａ，５Ｂとは、通信ネットワークＮＴを介して通信を行う機能を備える。また、端末装置１Ａは、通信ネットワークＮＴを介して監視装置２に接続される。端末装置１Ｂは、ＬＡＮを介して監視装置２に接続される。【００３１】
建物Ｂは、例えば２階建てである。建物Ｂには、４つのゾーン（設置エリア）Ｚ１〜Ｚ４が割り当てられている。３つのゾーンＺ１〜Ｚ３は、建物Ｂの１階に割り当てられ、建物Ｂの１階を３つに区分けしている。ゾーンＺ４は、建物Ｂの２階全体に割り当てられている。【００３２】
各ゾーンＺ１〜Ｚ４には、複数の照明器具Ｌ１〜Ｌ４と、空調機ＡＣ１〜ＡＣ４と、照明用の操作スイッチ（照明スイッチ）Ｓ１〜Ｓ４と、図示しない空調用の操作スイッチ（空調スイッチ）と、人感センサ（人検出手段）Ｒ１〜Ｒ４とが配設される。【００３３】
各ゾーンＺ１〜Ｚ４の照明器具Ｌ１〜Ｌ４と照明スイッチＳ１〜Ｓ４と人感センサＲ１〜Ｒ４とは、伝送線ＬＮ１を介して制御装置５Ａに接続される。照明器具Ｌ１〜Ｌ４と照明スイッチＳ１〜Ｓ４と人感センサＲ１〜Ｒ４とには、個別のアドレス情報が割り当てられる。【００３４】
照明スイッチＳ１〜Ｓ４は、同じゾーンＺ１〜Ｚ４内にある照明器具Ｌ１〜Ｌ４のオン／オフなどの操作を行うために用いられる。各照明スイッチＳ１〜Ｓ４は、ユーザの操作に対応する操作信号（照明操作信号）を制御装置５Ａに送信するように構成される。【００３５】
空調スイッチは、同じゾーンにある空調機ＡＣ１〜ＡＣ４のオン／オフなどの操作を行うために用いられる。各空調スイッチは、ユーザの操作に対応する操作信号（空調操作信号）を制御装置５Ｂに送信するように構成される。【００３６】
人感センサＲ１〜Ｒ４は、同じゾーンＺ１〜Ｚ４内の人の存否を感知するように構成される。人感センサＲ１〜Ｒ４は、対応するゾーンＺ１〜Ｚ４において人を検知すると、制御装置５Ａへ検知信号（人体検知信号）を送信するように構成される。【００３７】
空調機ＡＣ１〜ＡＣ４は、伝送線ＬＮ２を介して制御装置５Ｂに接続される。空調機ＡＣ１〜ＡＣ４には個別のアドレス情報が割り当てられている。【００３８】
また、建物Ｂ内には、分電盤４が設置される。分電盤４は、主幹ブレーカ４０と、複数の分岐ブレーカ４１〜４４とを内蔵する。分岐ブレーカ４１に対応する分岐回路６１には、ゾーンＺ１〜Ｚ３の各照明器具Ｌ１〜Ｌ３が接続される。分岐ブレーカ４２に対応する分岐回路６２には、ゾーンＺ４の各照明器具Ｌ４が接続される。分岐ブレーカ４３に対応する分岐回路６３には、ゾーンＺ１〜Ｚ３の各空調機ＡＣ１〜ＡＣ３が接続される。分岐ブレーカ４４に対応する分岐回路６４には、ゾーンＺ４の空調機ＡＣ４が接続される。各分岐回路６１〜６４には、負荷電流を計測するための計量ポイントＰ１〜Ｐ４が設けられる。【００３９】
計測装置３は、照明器具Ｌ１〜Ｌ４や空調機ＡＣ１〜ＡＣ４などの機器の消費電力量を監視して監視装置２および端末装置１Ａに出力するように構成される。計測装置３は、電気機器の消費電力量を計測する消費電力計測手段である。【００４０】
計測装置３は、建物Ｂ内に設置される電力計３１〜３４と、収集装置（電力監視装置）３５とを備える。【００４１】
各電力計３１〜３４は、信号線ＬＮ３を介して収集装置３５に接続される。各電力計３１〜３４は、対応する計量ポイントＰ１〜Ｐ４での負荷電流（つまり各分岐回路６１〜６４での消費電力量）を所定の計測周期毎に計測する。よって、各電力計３１〜３４は、所定期間中に機器で使用された電気の量（所定期間中の機器での消費電力量）を計測した値を示す計測値を取得する計測値取得手段として機能する。【００４２】
ここで、分岐回路６１での消費電力量は、各ゾーンＺ１〜Ｚ３に属する複数の照明器具Ｌ１〜Ｌ３の消費電力量の合計値である。分岐回路６２での消費電力量は、ゾーンＺ４に属する複数の照明器具Ｌ４の消費電力量の合計値である。分岐回路６３での消費電力量は、各ゾーンＺ１〜Ｚ３に属する空調ＡＣ１１〜ＡＣ３の消費電力量の合計値である。分岐回路６４での消費電力量は、ゾーンＺ４の空調ＡＣ４の消費電力量である。このように、本実施形態のエネルギーマネジメントシステムでは、１乃至複数の機器のグループ毎に、消費電力量を計測する。【００４３】
各電力計３１〜３４は、取得した計測値を内蔵メモリ（図示せず）に記憶させる。各電力計３１〜３４は、所定の送信周期が経過する毎に、内蔵メモリに記憶された計測値を収集装置３５に出力するように構成される。【００４４】
収集装置３５は、各電力計３１〜３４から出力された計測値を受信する。収集装置３５は、各電力計３１〜３４から受信した計測値を計測された日時と関連付けて記憶する第１記憶手段として機能する。また、収集装置３５は、通信ネットワークＮＴを介し監視装置２に接続される。収集装置３５は、監視装置２からの要求に応じて（例えば、監視装置２から後述する監視データ要求信号を受信すると）、各分岐回路６１〜６４の計測値を監視装置２に送信するように構成される。【００４５】
制御装置５Ａは、照明器具Ｌ１〜Ｌ４の動作を制御する照明制御装置である。制御装置５Ａは、アドレス情報を含めた伝送信号を伝送線ＬＮ１に送出することによって、所望の照明器具Ｌ１〜Ｌ４または照明スイッチＳ１〜Ｓ４または人感センサＲ１〜Ｒ４との間で伝送信号を授受する。【００４６】
制御装置５Ａは、コンピュータを用いて構成される。制御装置５Ａは、図３（ａ）に示すように、設定記憶手段５１Ａと、機器制御手段５２Ａと、スケジュール受信手段５３Ａと、スケジュール変更手段５４Ａと、操作信号受信手段５５Ａと、検知信号受信手段５６Ａと、検知信号記憶手段５７Ａと、履歴送信手段５８Ａとを備える。【００４７】
設定記憶手段５１Ａは、各照明器具Ｌ１〜Ｌ４のスケジュール情報（動作スケジュール情報）を記憶するように構成される。【００４８】
ここで、スケジュール情報とは、所定期間中の機器の動作を単位時間（所定の時間区分）毎に定義する情報である。例えば、制御装置５Ａの場合、スケジュール情報は、一週間の各ゾーンＺ１〜Ｚ４の照明器具Ｌ１〜Ｌ４の動作（点灯または消灯）を３０分毎に定義する情報である。なお、照明器具Ｌ１〜Ｌ４をオンにする時刻を点灯時刻といい、照明器具Ｌ１〜Ｌ４をオフにする時刻を消灯時刻という。【００４９】
スケジュール受信手段５３Ａは、端末装置１Ａや監視装置２からスケジュール情報を受信するように構成される。【００５０】
スケジュール変更手段５４Ａは、設定記憶手段５１Ａに記憶されたスケジュール情報の内容をスケジュール受信手段５３Ａで受信されたスケジュール情報の内容に変更するように構成される。したがって、制御装置５Ａは、端末装置１Ａや監視装置２からスケジュール情報を取得すると、設定記憶手段５１Ａのスケジュール情報の内容を更新する。【００５１】
操作信号受信手段５５Ａは、各照明スイッチＳ１〜Ｓ４から操作信号を受信するように構成される。【００５２】
機器制御手段５２Ａは、設定記憶手段５１Ａに記憶されたスケジュール情報にしたがって機器を制御するように構成される。例えば、機器制御手段５２Ａは、現時刻（制御装置５Ａに内蔵された時計の時刻）がスケジュール情報で指定された点灯時刻になると、対応する照明器具Ｌ１〜Ｌ４に点灯制御信号を送信して、対応する照明器具Ｌ１〜Ｌ４を点灯させる。機器制御手段５２Ａは、現時刻がスケジュール情報で指定された消灯時刻になると、対応する照明器具Ｌ１〜Ｌ４に点灯制御信号を送信して、対応する照明器具Ｌ１〜Ｌ４を点灯させる。【００５３】
また、機器制御手段５２Ａは、操作信号受信手段５５Ａが受信した照明操作信号に応じて照明器具Ｌ１〜Ｌ４を制御するように構成される。例えば、機器制御手段５２Ａは、照明スイッチＳ１〜Ｓ４からの照明操作信号に応じて照明器具Ｌ１〜Ｌ４に制御信号を送信して、各照明器具Ｌ１〜Ｌ４を点灯または消灯させる。そのため、制御装置５Ａによれば、スケジュール情報で指定された時間（点灯時刻または消灯時刻）以外でも照明器具Ｌ１〜Ｌ４を制御することができる。【００５４】
検知信号受信手段５６Ａは、人感センサＲ１〜Ｒ４から検知信号を受信するように構成される。【００５５】
検知信号記憶手段５７Ａは、検知信号受信手段５５Ａが受信した検知信号に基づいて検知信号の履歴を作成して記憶する。つまり、制御装置５Ａには検知信号の履歴（いつ人を検出したか）が記憶される。【００５６】
履歴送信手段５８Ａは、検知信号記憶手段５６Ａに記憶された検知信号の履歴を端末装置１Ａや監視装置２に送信するように構成される。また、履歴送信手段５８Ａは、監視装置２から後述する検知データ要求信号を受信すると、検知信号記憶手段５７Ａに記憶された各人感センサＲ１〜Ｒ４の検知信号の履歴を監視装置２に送信するように構成される。【００５７】
制御装置５Ｂは、空調機ＡＣ１〜ＡＣ４の動作を制御する空調制御装置である。制御装置５Ｂは、アドレス情報を含めた伝送信号を伝送線ＬＮ２に送出することによって、所望の空調機ＡＣ１〜ＡＣ４との間で伝送信号を授受する。【００５８】
制御装置５Ｂは、コンピュータを用いて構成される。制御装置５Ｂは、図３（ｂ）に示すように、設定記憶手段５１Ｂと、機器制御手段５２Ｂと、スケジュール受信手段５３Ｂと、スケジュール変更手段５４Ｂとを備える。【００５９】
設定記憶手段５１Ｂは、空調機ＡＣ１〜ＡＣ４のスケジュール情報を記憶するように構成される。例えば、スケジュール情報は、一週間の各ゾーンＺ１〜Ｚ４の空調機ＡＣ１〜ＡＣ４の動作を３０分毎に定義する情報である。なお、空調機ＡＣ１〜ＡＣ４をオンにする時刻を運転開始時刻といい、空調機ＡＣ１〜ＡＣ４をオフにする時刻を運転終了時刻という。【００６０】
スケジュール受信手段５３Ｂは、端末装置１Ａや監視装置２からスケジュール情報を受信するように構成される。【００６１】
スケジュール変更手段５４Ｂは、設定記憶手段５１Ｂに記憶されたスケジュール情報の内容をスケジュール受信手段５３Ｂで受信されたスケジュール情報の内容に変更するように構成される。したがって、制御装置５Ｂは、端末装置１Ａや監視装置２からスケジュール情報を取得すると、設定記憶手段５１Ｂのスケジュール情報の内容を更新する。【００６２】
操作信号受信手段５５Ｂは、各空調スイッチから操作信号を受信するように構成される。【００６３】
機器制御手段５２Ｂは、設定記憶手段５１Ｂに記憶されたスケジュール情報にしたがって機器を制御するように構成される。例えば、機器制御手段５２Ｂは、現時刻がスケジュール情報で指定された運転開始時刻になると、対応する空調機ＡＣ１〜ＡＣ４に運転開始信号を送信して、対応する空調機ＡＣ１〜ＡＣ４を始動させる。また、機器制御手段５２Ｂは、現時刻がスケジュール情報で指定された運転終了時刻になると、対応する空調機ＡＣ１〜ＡＣ４に運転終了信号を送信して、対応する空調機ＡＣ１〜ＡＣ４を停止させる。【００６４】
また、機器制御手段５２Ｂは、操作信号受信手段５５Ｂが受信した空調操作信号に応じて空調機ＡＣ１〜ＡＣ４を制御するように構成される。例えば、機器制御手段５２Ｂは、空調操作スイッチからの空調操作信号に応じて空調機ＡＣ１〜ＡＣ４に制御信号を送信して、各空調機ＡＣ１〜ＡＣ４を始動または停止させる。そのため、制御装置５Ｂは、スケジュール情報で指定された時間（運転開始時刻または運転終了時刻）以外でも空調機ＡＣ１〜ＡＣ４を制御できる。【００６５】
監視装置２は、図４に示すように、通信部２１と、記憶部２２と、演算部２３とを備える。通信部２１は、通信ネットワークＮＴを経由して計測装置３および制御装置５Ａと通信を行うように構成される。演算部２３は、所定のデータ収集期間が経過する毎に、前述の監視データ要求信号や検知データ要求信号を通信部２１に送信させるように構成される。通信部２１と演算部２３とによって、計測装置３の収集装置３５から計測値を取得する計測値取得手段が構成される。記憶部２２は、通信部２１が受信した計測値を記憶する第２記憶手段として機能する。また、記憶部２２は、通信部２１が受信した検知信号の履歴（人感センサＲ１〜Ｒ４の測定データ）を記憶する。なお、監視装置２は、複数の計測装置３から計測値を取得するように構成されていてもよい。この場合には、１つの監視装置２で複数の計測装置３の計測値を管理できる。【００６６】
端末装置１Ａ，１Ｂは同様の構成を有する。よって、以下では、端末装置１Ａについてのみ説明する。【００６７】
端末装置１Ａは、図５に示すように、入力部１１と、表示部１２と、記憶部１３と、演算部１４と、通信部１５とを備えるコンピュータである。入力部１１は、キーボードや、マウス、タッチパネルなどである。入力部１１は、ユーザが後述するボタンＢ１〜Ｂ２４の選択や、スケジュール情報の入力を行うために用いられる。表示部１２は、ディスプレイ（例えば液晶ディスプレイ）などであって、所定の表示を行うように演算部１４によって制御される。記憶部１３は、演算部１４が実行するプログラムや、消費電力量の計測結果、消費電力のシミュレーション結果などを記憶するために用いられる。記憶部１３は、ハードディスクのような大容量記憶装置や、ＲＯＭ，ＲＡＭなどのメモリからなる。演算部１４は、ＣＰＵなどであって、記憶部１３に記憶されたプログラムを実行する。通信部１５は、ネットワークＮＴを経由した通信を行うように構成される。【００６８】
記憶部１３には、消費電力量の管理・消費電力量のシミュレーション・電力消費が有益か否かの評価を実行するためのプログラム（以下、「エネルギーマネジメントプログラム」という）が搭載される。端末装置１Ａ，１Ｂがエネルギーマネジメントプログラムを実行することにより、消費電力量の管理機能・消費電力量のシミュレーション機能・電力評価機能が実現される。【００６９】
図１に示すように、エネルギーマネジメントプログラムは、機器の消費電力量を管理するために、端末装置１Ａを、取得手段１０１と、計測値記憶手段１０２と、判定手段１０３と、判定記憶手段１０４と、使用情報表示手段１０５として機能させる。【００７０】
取得手段１０１は、所定期間中に機器で使用されたエネルギー資源の量を計測した値を示す計測値を取得するように構成される。言い換えれば、取得手段１０１は、１乃至複数の機器を１つのグループとして、グループ単位で所定の時間区分（単位時間）毎に消費電力量を計測した電力量計測結果（計測値）が入力される電力量入力手段である。【００７１】
本実施形態の場合、機器は、照明器具Ｌ１〜Ｌ４・空調機ＡＣ１〜ＡＣ４のような電気機器である。よって、エネルギー資源は電気であり、機器で使用されたエネルギー資源の量は機器の消費電力量である。取得手段１０１は、例えば、通信ネットワークＮＴを介して監視装置２や制御装置５Ａ，５Ｂと通信して、各分岐回路６１〜６４での所定期間中（例えば一週間）の消費電力量を受け取る。つまり、取得手段１０１は、監視装置２の上記第２記憶手段から計測値を取得する。このような取得手段１０１は、演算部１４と通信部１５によって実現される。【００７２】
計測値記憶手段１０２は、取得手段１０１が取得した計測値として記憶するように構成される。このような計測値記憶手段１０２は、記憶部１３と演算部１４によって実現される。【００７３】
判定手段１０３は、計測値記憶手段１０２に記憶された計測値に基づいて所定期間中に機器が使用されたかどうかを単位時間（例えば、３０分）毎に判定するように構成される。ただし、本実施形態では、判定手段１０３は、後述するタイムゾーンに含まれる時間帯については、判定を行わない。判定手段１０３は、例えば、計測値記憶手段１０２に記憶された計測値と所定の閾値とを比較する。判定手段１０３は、計測値が所定の閾値を上回ったときだけ、機器が使用されたと判定する。ここで、所定の閾値は、例えば、対応する分岐回路６１〜６４の待機電力量に相応する値である。つまり、判定手段１０３は、各分岐回路６１〜６４に接続された機器のうち少なくとも１つが使用されたかどうかを判定する。このような判定手段１０３は、演算部１４によって実現される。【００７４】
判定記憶手段１０４は、判定手段１０３が判定した結果を示す判定結果を記憶するように構成される。判定記憶手段１０４は、このような記憶部１３と演算部１４によって実現される。【００７５】
使用情報表示手段１０５は、判定記憶手段１０４に記憶された判定結果に基づいて、所定期間中に機器が使用されたどうかを単位時間毎に表示するように構成される。言い換えれば、使用情報表示手段１０５は、電力量入力手段に入力された電力量計測結果をもとに、所定の時間区分毎に少なくとも消費電力量の有無をグループ単位で表示する。【００７６】
このような使用情報表示手段１０５は、所定期間中の機器の消費電力量を二値化して表示する。使用状態表示手段１０５は、例えば、図１７に示すように、機器が使用された単位時間を、機器が使用されなかった単位時間と区別して表示する（図１７では、機器が使用された時間帯を右上がりの斜線で示している）。さらに、使用情報表示手段１０５は、機器の消費電力量（所定期間中の機器の消費電力量の合計値）を数値で表示するように構成される。このような使用状態表示手段１０５は、表示部１２と演算部１４とによって実現される。【００７７】
また、エネルギーマネジメントプログラムは、消費電力量のシミュレーションを行うために、端末装置１Ａを、スケジュール入力手段１０６と、スケジュール記憶手段１０７と、シミュレート手段１０８と、予測値記憶手段１０９と、予測値表示手段１１０として機能させる。【００７８】
スケジュール入力手段１０６は、所定期間中の機器の動作を単位時間毎に定義するスケジュール情報の入力を受け付けるように構成される。言い換えれば、スケジュール入力手段１０６は、ユーザがスケジュール情報の変更内容を入力するために用いられる。【００７９】
本実施形態では、後述するタイムゾーンによってスケジュール情報が規定される。すなわち、タイムゾーンが設定された時間帯が機器をオフとする時間帯となる。例えば、図２４に示す例では、スケジュール情報は、月曜日〜金曜日の７：３０に機器をオン、１９：００に機器をオフとすることを規定している。また、図２５に示す例では、スケジュール情報は、月曜日〜金曜日の７：３０に機器をオン、１２：００に機器をオフ、１２：３０に機器をオン、１９：００に機器をオフとすることを規定している。このようなスケジュール入力手段１０６は、入力部１１と表示部１２と演算部１４とによって実現される。【００８０】
スケジュール記憶手段１０７は、スケジュール入力手段１０６を用いて入力されたスケジュール情報を記憶するように構成される。このようなスケジュール記憶手段１０７は、記憶部１３と演算部１４とによって実現される。【００８１】
シミュレート手段１０８は、スケジュール記憶手段１０７に記憶されたスケジュール情報にしたがって機器が動作した場合の消費電力量を示す予測値を計測値記憶手段１０２に記憶された計測値に基づいてシミュレートするように構成される。言い換えれば、シミュレート手段１０８は、スケジュール入力手段１０６を用いてスケジュール情報の変更内容が入力されると、電力量計測結果に基づいて変更後のスケジュール情報で機器を動作させた場合の消費電力量を予測する。【００８２】
例えば、シミュレート手段１０８は、計測値記憶手段１０２に記憶された計測値と対応する分岐回路６１〜６４の待機電力量とを比較することで、機器のオン・オフを推測する（この推測には、判定手段１０３の判定結果を用いても良い）。次に、シミュレート手段１０８は、機器のオン・オフを推測した結果（推測結果）と上記スケジュール記憶手段に記憶されたスケジュール情報とを比較する。例えば、推測結果では、０：００〜６：００がオフ、６：００〜１８：００がオン、１８：００〜２４：００がオフであり、スケジュール記憶手段１０７に記憶されたスケジュール情報では、０：００〜７：００がオフ、７：００〜１９：００がオン、１９：００〜２４：００がオフであるとする。この場合、オン・オフが一致する期間、つまり０：００〜６：００、７：００〜１８：００、１９：００〜２４：００では、計測値記憶手段１０２に記憶された計測値をそのまま用いる。一方、オン・オフが一致しない期間、つまり６：００〜７：００、１８：００〜１９：００については、機器の消費電力量を予測する。例えば、６：００〜７：００では、推測結果がオン、スケジュール情報がオフであるから、シミュレート手段１０８は、対応する分岐回路６１〜６４の待機電力量を、６：００〜７：００間の単位時間の消費電力量とする。また、１８：００〜１９：００では、推測結果がオフ、スケジュール情報がオンであるから、シミュレート手段１０８は、電気機器がオンである直近の単位時間（例えば、１７：３０〜１８：００）の消費電力量を、１８：００〜１９：００間の単位時間の消費電力量とする。なお、直近の単位時間の消費電力量の代わりに、電気機器がオンと判定された単位時間の消費電力量の平均値を用いても良いし、過去の同じ曜日や異なる曜日の同じ単位時間の消費電力量を用いても良い。このようにして、シミュレート手段１０８は、所定の期間中の電気機器の消費電力量を推測する。【００８３】
予測値記憶手段１０９は、シミュレート手段１０８で予測された予測値を記憶するように構成される。予測値記憶手段１０９は、記憶部１３と演算部１４とで実現される。【００８４】
予測値表示手段１１０は、予測値記憶手段１０９に記憶された予測値を表示するように構成される。このような予測値表示手段１１０は、表示部１２と演算部１４とで実現される。【００８５】
ところで、各機器は、予め設定されたスケジュール情報にしたがってオンまたはオフになるように制御される。例えば、就業時間中（例えば、図２４では、月曜日〜金曜日それぞれの７：３０から１９：００までが就業時間である）は全ての機器がオンとなり、就業時間外は全ての機器がオフとなるようなスケジュール情報が設定される。この場合、全ての機器がスケジュール情報通りに動作していれば、就業時間外に電力が消費されることがない。しかしながら、全ての機器がスケジュール情報通りに使用されるとは限らない。例えば、就業時間外に従業員が何らかの作業を行いたい場合、従業員が照明スイッチＳ１〜Ｓ４等を操作して所望の機器（照明器具Ｌ１〜Ｌ４または空調機ＡＣ１〜ＡＣ４）を動作させることがある。このとき、従業員が機器を停止し忘れて退社すると、機器がそのまま動作し続ける。この場合、機器の使用は無駄であるから、電力の消費が無駄である（例えば、図２４では、網線で示す部分が機器の使用が無駄な部分である）。【００８６】
そこで、エネルギーマネジメントプログラムは、機器での電力消費が有益か否か（機器の使用が有益か無駄か）の評価を実行するために、端末装置１Ａを、履歴受信手段１１１と、履歴記憶手段１１２と、機器情報記憶手段１１３と、評価手段１１４と、評価記憶手段１１５と、評価表示手段１１６として機能させる。【００８７】
履歴受信手段１１１は、検知信号の履歴（人感センサＲ１〜Ｒ４の測定データ）を受け取るように構成される。例えば、履歴受信手段１１１は、監視装置２や制御装置５Ａ，５Ｂと通信して、所定期間中の検知信号の履歴（人感センサＲ１〜Ｒ４の測定データ）を受け取る。このような履歴受信手段１１１は、演算部１４と通信部１５とで実現される。【００８８】
履歴記憶手段１１２は、履歴受信手段１１１が受信した検知信号の履歴を記憶するように構成される。このような履歴記憶手段１１２は、記憶部１３と演算部１４とで実現される。【００８９】
機器情報記憶手段１１３は、各機器の情報を記憶するように構成される。ここで、各機器の情報とは、機器の種類と、機器が設置されている場所を示す設置エリアとである。例えば、機器の種類には、照明器具と空調機とが含まれ、機器の設置エリアには、ゾーンＺ１〜Ｚ４が含まれる。例えば、機器Ｌ１については、種類が「照明器具」、設置エリアが「ゾーンＺ１」という情報が機器情報記憶手段１１３に記憶されている。このような機器情報記憶手段１１３は、記憶部１３と演算部１４とで実現される。【００９０】
評価手段１１４は、計測値記憶手段１０２に記憶された計測値とスケジュール記憶手段１０７に記憶されたスケジュール情報とに基づいて機器の使用が有益か無駄かを単位時間毎に判定するように構成される。言い換えれば、評価手段１１４は、電力量入力手段に入力された各時間区分における消費電力量とスケジュール情報とに基づいて、各時間区分での消費電力量が有益か否かを評価する電力評価手段である。このような評価手段１１４は、演算部１４で実現される。【００９１】
例えば、評価手段１１４は、スケジュール情報によればオフであるはずの機器がオンであれば、機器の使用が無駄であると判定する。【００９２】
例えば、評価手段１１４は、スケジュール記憶手段１０７に記憶されたスケジュール情報（本実施形態では、タイムゾーン）を参照して、機器が停止している期間（タイムゾーンに含まれる期間）の計測値を選択する。評価手段１１４は、選択した計測値と所定の閾値（対応する分岐回路６１〜６４の待機電力量に相応する値）とを比較する。評価手段１１４は、計測値が所定の閾値を上回っていれば、機器の使用が無駄であると判定する。例えば、図１７に示す例では、３月７日（金）の２２：００〜２３：００の間の機器の使用が無駄と判定されている。【００９３】
また、評価手段１１４は、計測値記憶手段１０２に記憶された計測値の時間変化が所定の条件を満たしていれば、機器の使用が無駄であると評価するように構成されていてもよい。上記の所定の条件は、計測値が所定の閾値を越える期間が所定の時間継続されたことである。例えば、評価手段１１４は、計測値が所定の閾値を連続して所定回数（例えば４回）以上越えたときに機器の使用を無駄と判断する。このようにすれば、例えば、本来は機器の使用が無駄ではないのに、ノイズなどによる消費電力量の測定誤差によって、機器の使用が無駄であると判定してしまうことを防止できる。【００９４】
また、スケジュール情報ではオフである機器が実際にはオンであっても、機器の使用が有益な使用である場合がある。例えば、従業員が就業時間外に作業している場合である。【００９５】
そこで、評価手段１１４は、機器の使用が無駄と判断された単位時間が例外条件（例外ルール）を満たす場合には、当該単位時間での機器の使用を有益と評価するように構成される。このようにすれば、機器の使用が有益か否かをより正確に判断できる。【００９６】
例外条件には、機器の設置エリアで対応する人感センサＲ１〜Ｒ４が人を検出したことを採用できる。例えば、評価手段１１４は、機器の使用を無駄と評価した場合には、機器の設置エリアを機器情報記憶手段１１３から取得する。また、評価手段１１４は、機器の設置エリアに対応する検知信号の履歴を履歴記憶手段１１２から取得する。そして、評価手段１１４は、機器の使用が無駄と判断された単位時間に、機器と同じゾーンＺ１〜Ｚ４に設置されている人感センサＲ１〜Ｒ４が検知信号を出力していれば、機器の使用が有益であると評価（再評価）する。この場合、人がいる場所では、機器の使用が無駄ではないと評価される。そのため、実情に沿った評価が行える。なお、例外条件によって無駄ではないと再評価する場合としては、例えば、就業時間外で残業したり早出したりして作業を行った場合や、タイムゾーン内で機器を使用したものの使用後にきちんと忘れずに電気機器を停止させた場合などがある。よって、これらに対応した例外条件を設定してもよい。【００９７】
また、評価手段１１４は、同じ設置エリアに種類が異なる複数の機器がある場合、各機器の種類と判定手段１０３の判定結果との組み合わせに基づいて、機器の使用が有益か無駄かを評価するように構成されていてもよい。具体的には、評価手段１１４は、機器情報記憶手段１１３から設置エリアと種別を読み出す。そして、記評価手段１１４は、機器情報記憶手段１１３に記憶された機器毎の種類と設置エリアに基づいて同じ設置エリアに種類が異なる複数の機器があるかどうかを確認する。評価手段１１４は、同じ設置エリアに種類が異なる複数の機器がある場合、各機器の種類と判定結果との組み合わせに基づいて機器の使用が有益か無駄かを評価する。この場合、機器の使用が有益か否かを確実に判断できる。例えば、評価する機器が照明器具Ｌ１である場合、照明器具Ｌ１の設置エリア（ゾーンＺ１）には、照明器具Ｌ１と種類が異なる空調機ＡＣ１が存在する。この場合、評価手段１１４は、判定記憶手段１０４から照明器具Ｌ１および空調機ＡＣ１それぞれについての判定結果を取得する。そして、評価手段１１４は、種類が異なる照明器具Ｌ１と空調機ＡＣ１の動作状態の組み合わせが、所定の組み合わせ（照明器具Ｌ１と空調機ＡＣ１の両方がオン）であれば、照明器具Ｌ１の使用が有益であると評価する。つまり、同じゾーンＺ１にある照明器具Ｌ１と空調機ＡＣ１との一方だけがオンであるときには、消し忘れと判断する。【００９８】
評価記憶手段１１５は、評価手段１１４が評価した結果を示す評価結果を記憶するように構成される。このような評価記憶手段１１５は、記憶部１３と演算部１４とで実現される。【００９９】
評価表示手段１１６は、評価記憶手段１１５に記憶された評価結果に基づいて電気機器の使用が有益か無駄かを単位時間毎に表示するように構成される。評価表示手段１１６は、例えば、機器の使用が無駄であった単位時間を、機器の使用が有用であった単位時間と区別して表示する（図２４では、機器の使用が無駄であった時間帯を網線で示している）。このような評価表示手段１１６は、表示部１２と演算部１４とで実現される。【０１００】
さらに、エネルギーマネジメントプログラムは、制御機器５Ａ，５Ｂのスケジュール情報を遠隔地から（すなわち間接的に）変更できるようにするために、端末装置１Ａを、決定手段１１７と、現スケジュール記憶手段１１８と、確認手段１１９と、確認記憶手段１２０と、スケジュール送信手段１２１とを備える設定装置として機能させる。【０１０１】
決定手段１１７は、制御装置５Ａ，５Ｂの設定記憶手段５１Ａ，５１Ｂに記憶されたスケジュール情報の変更の決定を受け付けるように構成される（例えば図２５参照）。このような決定手段１１７は、入力部１１と表示部１２と演算部１４とで実現される。【０１０２】
現スケジュール記憶手段１１８は、設定記憶手段５１Ａ，５１Ｂに記憶されたスケジュール情報を記憶するように構成される。例えば、現スケジュール記憶手段１１８は、通信ネットワークＮＴを介して制御装置５Ａ，５Ｂから設定記憶手段５１Ａ，５１Ｂに記憶されたスケジュール情報を受信して、記憶するように構成される。このような現スケジュール記憶手段１１８は、記憶部１３と演算部１４と通信部１５とで実現される。【０１０３】
確認手段１１９は、スケジュール記憶手段１０７に記憶されたスケジュール情報と現スケジュール記憶手段１１８に記憶されたスケジュール情報とが一致するかどうかを確認するように構成される。このような確認手段１１９は、演算部１４によって実現される。【０１０４】
確認記憶手段１２０は、確認手段１１９が確認した結果を示す確認結果を記憶するように構成される。このような確認記憶手段１２０は、記憶部１３と演算部１４とで実現される。【０１０５】
スケジュール送信手段１２１は、スケジュール記憶手段１０７に記憶されたスケジュール情報を制御装置５Ａ，５Ｂに送信するように構成される。スケジュール送信手段１２１は、決定手段１１７を用いて設定記憶手段５１Ａ，５１Ｂに記憶されたスケジュール情報の変更が決定されると、確認記憶手段１２０に記憶された確認結果を参照する。そして、スケジュール送信手段１２１は、変更されたスケジュール情報だけを対応する制御装置５Ａ，５Ｂに送信する。つまり、スケジュール送信手段１２１は、変更する必要があるスケジュール情報だけを制御装置５Ａ，５Ｂに送信する。このようなスケジュール送信手段１２１は、演算部１４と通信部１５とで実現される。なお、スケジュール送信手段１２１は、スケジュール記憶手段１０７に記憶された全てのスケジュール情報を制御装置５Ａ，５Ｂに送信するように構成されていてもよい。この場合には、現スケジュール記憶手段１１８と、確認手段１１９と、確認記憶手段１２０とが不要になる。【０１０６】
次に、端末装置１Ａの動作の具体例について図６〜図２７を参照して説明する。なお、図６はシミュレーション実行時のフローチャートを示す。【０１０７】
端末装置１Ａの演算部１４は、記憶部１３に記憶されたエネルギーマネジメントプログラムを実行することによって、図７に示す初期画面Ｇ１を表示部１２に表示させる。【０１０８】
初期画面Ｇ１の中央には、例えば「タイムマネジメントツール」といったタイトルＴ１０が表示される。初期画面Ｇ１の右側には、「ファイル新規作成」・「ファイル一覧」・「共通ルール」・「データ」・「設定」にそれぞれ対応する５つのボタンＢ１〜Ｂ５が表示される。ここで、マウスカーソルをボタンＢ１〜Ｂ５上に移動させる（マウスオーバー）と、初期画面Ｇ１の下方に設けた空欄Ｂ０に、マウスオーバー中のボタンＢ１〜Ｂ５に対応する機能の説明が表示される。【０１０９】
ボタンＢ１は、スケジュール情報を変更した場合の消費電力量を予測する処理を開始させるためのボタンである。本実施形態のエネルギーマネジメントシステムでは、シミュレーションの結果を格納するファイルに名前を付けて保存・管理できる。【０１１０】
ボタンＢ２は、保存したファイル（シミュレーション結果を格納したファイル）を呼び出すためのボタンである。ファイルに格納されたシミュレーション結果をもとにパラメータ（スケジュール情報）を変更し、再度シミュレーションを実行することもできる。【０１１１】
ボタンＢ３は、共通ルールの作成・変更・削除を行うためのボタンである。共通ルールとは、時間区分（単位時間）毎の電力消費が有益か否か（つまり電気機器の使用が有益か無駄か）を評価するために使用するルールである。ボタンＢ３は、作成された共通ルールをどの計量ポイントに適用するのかを設定するために用いられる。【０１１２】
ボタンＢ４は、他のシステムで収集された消費電力量のデータを取り込む処理を選択するためのボタンである。例えば、本実施形態のエネルギーマネジメントシステムでは、端末装置１Ａ，１Ｂが通信ネットワークＮＴを介して中央監視盤２に接続されている。この場合、端末装置１Ａ，１Ｂは、消費電力受信手段１０１によって中央監視盤２から消費電力量のデータを自動収集して、収集した消費電力量のデータを計測値記憶手段１０２のデータベースに格納する。【０１１３】
ボタンＢ５は、エネルギーマネジメントプログラムで使用する各種の情報を設定するための処理（設定処理）を選択するためのボタンである。設定処理では、例えば入力された消費電力量に対応する計量ポイントの情報やシミュレーションの際に使用するパラメータなどが設定される。【０１１４】
なお、本実施形態のエネルギーマネジメントプログラムでは、初期設定として、計量ポイント設定・共通ルール作成・共通ルールと計量ポイントの関連付け・パラメータ設定・エネルギーデータ（消費電力量の計測結果）の取込みの５項目の設定を行う。このような初期設定を行う処理は、初期画面Ｇ１から実行できる。【０１１５】
「計量ポイント設定」では、計量ポイントの名称（例えば１Ｆ共用部電灯など）・入力データの種別（例えばＰＩ／ＡＩ／設定／ＤＩ／ＤＯなど）・消費電力量の収集間隔・電気機器の運転／停止を判別するために計量ポイント毎に設ける閾値（計量データが消費電力量の場合は待機電力に相当する値）などの項目について設定を行う。【０１１６】
「共通ルール作成」では、作成する共通ルールの名称・当該共通ルールを適用するタイムゾーンの情報・当該共通ルールを適用する計量ポイントの情報などの項目を設定する。【０１１７】
ここで、タイムゾーンとは、電力が無駄に消費されているかどうかを監視する時間帯のことである。タイムゾーンが設定された時間帯の消費電力量は、評価手段１１４での評価対象になる。一方、タイムゾーンが設定されていない時間帯の消費電力量は、判定手段１０３での判定対象になる。このようなタイムゾーンの設定は、スケジュール情報の入力に相当する。【０１１８】
タイムゾーンは、タイムゾーンの名称・曜日（監視する曜日）・時間（監視する時間）・判定ロジックの４つの要素で定義される。判定ロジックとは、電気機器の使用が有益か無益（無駄）かを判断するためのロジックである。つまり、判定ロジックは、評価手段１１４での評価方法を指定する。【０１１９】
次に、共通ルールを作成する処理を図８，図９に基づいて説明する。【０１２０】
初期画面Ｇ１でボタンＢ３が選択されると、演算部１４は、図８に示すような共通ルールを設定するための画面（設定画面）Ｇ２を表示部１２に表示させる。【０１２１】
設定画面Ｇ２の中央上側には、ウィンドウＷ１が表示される。ウィンドウＷ１には、現在までに作成されている共通ルールの一覧が表示される。図８に示す例では、「共用部  電灯」という名称の共通ルールに、早朝（平日）・夜間（平日）・昼休みという３つのタイムゾーンが設定されている。【０１２２】
また、設定画面Ｇ２には、「ルール詳細」・「ルール追加」・「ルール削除」・「ルール複製」・「ルール紐付け」にそれぞれ対応するボタンＢ６〜Ｂ１０が表示される。【０１２３】
ボタンＢ８は、ユーザが入力部１１を用いて選択した共通ルールを削除するためのボタンである。ボタンＢ８が選択されると、演算部１４は、選択中の共通ルールを削除する。【０１２４】
ボタンＢ９は、ユーザが入力部１１を用いて選択した共通ルールを複製するためのボタンである。ボタンＢ９が選択されると、演算部１４は、選択中の共通ルールを複製する。【０１２５】
ボタンＢ７は、共通ルールを新たに作成するためのボタンである。ボタンＢ７が選択されると、演算部１４は、新たに作成する共通ルールの名称を入力するためのポップアップ画面を表示部１２に表示させる。ポップアップ画面では、入力部１１により名称の入力が可能である。名称の入力後に完了操作を行うと新たな共通ルールがウィンドウＷ１に追加される。【０１２６】
ボタンＢ６は、共通ルールの詳細を表示するためのボタンである。共通ルールを選択した状態で、ユーザがボタンＢ６を選択すると、演算部１４は、図９に示す画面（ルール詳細画面）Ｇ３を表示部１２に表示させる。【０１２７】
ルール詳細画面Ｇ３の中央の上側には、設定済みのタイムゾーンの名称が表示される。【０１２８】
ルール詳細画面Ｇ３の下側には、ウィンドウＷ２が表示される。このウィンドウＷ２には、共通ルールを適用する時間帯がグラフで表示される。このグラフの横軸は、時間（００：００〜２４：００）であり、縦軸は曜日（日曜日〜土曜日）である。図７では、早朝（平日）・夜間（平日）・昼休みという３つのタイムゾーンが設定されている。また、図７では、グラフにおいてタイムゾーンとして登録された時間帯に対応する帯状部分（以下、セルと言う）にハッチングが施されている。【０１２９】
ルール詳細画面Ｇ３の右側には、「タイムゾーン削除」・「タイムゾーン追加」・「タイムゾーン詳細」・「タイムゾーン修正」にそれぞれ対応するボタンＢ１１〜Ｂ１４が表示される。【０１３０】
ボタンＢ１１が選択されると、演算部１４は、選択中のタイムゾーンを削除する処理を行う。【０１３１】
ボタンＢ１２が選択されると、演算部１４は、図１０に示す画面（ポップアップ画面）Ｇ４を表示部１２に表示させる。ポップアップ画面Ｇ４の中央には、タイムゾーンの情報（名称・曜日・時間・判定ロジック）を入力するためブロックＫ１が表示される。また、ポップアップ画面Ｇ４の下方には、「追加」に対応するボタンＢ１５が表示される。追加ボタンＢ１５が選択されると、演算部１４は、ブロックＫ１に入力された情報で定義されるタイムゾーンを新たに追加する処理を行う。【０１３２】
ボタンＢ１３が選択されると、演算部１４は、図１１に示すように、選択中のタイムゾーンの情報（設定内容）を確認するための画面（ポップアップ画面）Ｇ５を表示部１２に表示させる。図９に示すポップアップ画面Ｇ５に表示されているタイムゾーンでは、名称が「早朝（平日）」、曜日が「月曜日から金曜日」、時間が「午前０時〜午前６時」、判定ロジックが「タイプＡ」である。【０１３３】
ボタンＢ１４が選択されると、演算部１４は、タイムゾーンの修正を行うための画面（図示せず）を表示部１２に表示させる。この場合の画面には、ポップアップ画面Ｇ４を準用できる。【０１３４】
例えば、タイプＡ〜Ｃの３つの判定ロジックＡ〜Ｃが用意されている。【０１３５】
図２７（ａ）は判定ロジックＡが適用された場合、同図（ｂ）は判定ロジックＢが適用された場合、同図（ｃ）は判定ロジックＣが適用された場合の判定結果をそれぞれ示す。【０１３６】
図２７に示す例では、０：００〜７：００までと１０：００〜２４：００までの時間帯がタイムゾーンに設定されている。ここで、右上がりの斜線で塗りつぶされた時間区分は電気機器での電力消費が有益（電気機器の使用が有益）と評価された時間区分である。網線で塗りつぶされた時間区分は電気機器での電力消費が無駄（電気機器の使用が無駄）と評価された時間区分である。【０１３７】
判定ロジックＡの場合、評価手段１１４は、タイムゾーンの曜日および時間中の消費電力量（計測値記憶手段１０２に記憶された計測値）と所定の閾値（分岐回路の待機電力量に相当する値）とを比較する。評価手段１１４は、消費電力量が閾値を超えた場合は、電力消費が無駄と評価する（図２７（ａ）参照）。図２７（ａ）に示す例では、０：００〜７：００・１０：００〜２４：００のタイムゾーンのうち、０：００〜２：００・５：００〜６：００・１１：００〜１４：００・１６：００〜２４：００の４つの時間帯に含まれる単位時間での電気機器の使用が無駄と判断されている。なお、この場合において、評価手段１１４は、計測値が連続して４回以上閾値を超えない場合は、電気機器の使用が有益と判断しても良い。このようにすれば、消費電力量の測定誤差による誤判定を防止できる。【０１３８】
判定ロジックＢは、夜間の機器の消し忘れによる電力の無駄を判定するロジックである。判定ロジックＢでは、評価手段１１４は、タイムゾーンで設定された時間帯の消費電力量と所定の閾値（待機電力）とを単位時間毎に比較する。評価手段１１４は、消費電力量が所定の閾値を越えた単位時間を使用期間と判定する。例えば、図２７（ｂ）に示す例では、０：００〜７：００・１０：００〜２４：００のタイムゾーンのうち、０：００〜２：００・５：００〜６：００・１１：００〜１４：００・１６：００〜２４：００の４つの時間帯に含まれる単位時間が使用期間と判断されている。評価手段１１４は、時系列的に連続する使用期間を１つのまとまりとして扱う。よって、評価手段１１４は、図２７（ｂ）に示す例では、０：００〜２：００まで、５：００〜６：００まで、１１：００〜１４：００まで、１６：００〜２４：００までをそれぞれ１つの使用期間として扱う。そして、評価手段１１４は、タイムゾーンの終わり（図２７（ｂ）に示す例では２４：００）を含む使用期間を、電気機器の使用が無駄である期間と判定する。つまり、評価手段１１４は、タイムゾーンの終わり（例えば２４：００）にかかる使用期間（図示例では１６：００〜２４：００）のみを消し忘れによる無駄と判定する（図２７（ｂ）参照）。なお、評価手段１１４は、タイムゾーンの終わりを含まない使用期間については、電気機器の使用が有益か無駄かの判断がつかない部分と判断する。以上述べた判定ロジックＢによれば、例えばスケジュール情報にしたがって消灯された後、従業者がスイッチを操作して照明器具の点灯・消灯を複数回行った場合でも、最後に照明器具を点灯した後の電力消費だけを抽出して無駄と判定できる。【０１３９】
判定ロジックＣは、早朝の機器の消し忘れによる電力の無駄を判定するロジックである。判定ロジックＣでは、使用期間を、電気機器の使用が無駄な期間かどうかを判定する基準が判定ロジックＢと異なる。判定ロジックＣでは、評価手段１１４は、タイムゾーンの始まり（図２７（ｂ）に示す例では０：００）を含む使用期間を、電気機器の使用が無駄である期間と判定する。つまり、評価手段１１４は、タイムゾーンの始まり（例えば０：００）にかかる使用期間（図示例では０：００〜２：００）のみを消し忘れによる無駄と判定する（図２７（ｃ）参照）。なお、評価手段１１４は、タイムゾーンの終わりを含まない使用期間については、電気機器の使用が有益か無駄かの判断がつかない部分と判断する。以上のべた判定ロジックＣによれば、例えばスケジュール情報にしたがって消灯された後、早朝出勤した従業員がスイッチを操作して照明器具の点灯・消灯を複数回行った場合でも、最初に照明器具を点灯する前の電力消費だけを抽出して無駄と判定できる。【０１４０】
これら判定ロジックＢ，Ｃは、電気機器の消費電力量の変化パターンを、所定の変化パターン（スケジュール情報に基づいた変化パターン）と比較することによって、電気機器の使用が有益か無駄かを評価するロジックである。所定の変化パターンは、例えば、電気機器の使用が有益な場合の変化パターン（例えば、タイムゾーンの始まりや終わりにかからない変化パターン）や、電気機器の使用が無駄な場合の変化パターン（例えば、タイムゾーンの始まりや終わりにかかる変化パターン）である。【０１４１】
これら判定ロジックＢ，Ｃでは、電気機器の消費電力量の変化パターンが所定のパターンに該当するか否かで、電気機器の使用が有益か無駄かを容易に判断できる。また、判定ロジックＢ，Ｃは、単純に消費電力量が所定の閾値を超えたか否かで判定する判定ロジックＡに比べて、複雑な設定を必要としないにも関わらず、精度よく有益か無駄かを判定できる。【０１４２】
また、消費電力量が所定の閾値を超えた使用期間のうち特定時刻（例えば２４：００）をまたいだ使用期間（図１７の例では１６：００〜２：００）のみを消し忘れによる無駄と判定する判定ロジックを用いても良い。【０１４３】
以上述べたような判定ロジックは、設定する項目が少ないにも関わらず消し忘れによる有益でない消費を抽出できる。なお、タイムゾーンの時間帯を決まった時刻ではなく、相対的に求まる時刻としても良い。例えば、日の入りから３時間後より２４：００までを夜間の消し忘れを監視する時間帯としたり、０：００から日の出前までを早朝の消し忘れを監視する時間帯としたりしても良い。日の入りや日の出の時刻は、通信ネットワークＮＴを介して外部のサーバ（図示せず）などから取得すればよい。また、所定のエリアへの入退室を管理する入退室管理装置から最終退出時刻を取得し、最終退出時刻から２４：００までを、夜間の消し忘れを監視する時間帯としても良い。この場合、ユーザ（電力利用者）の存在の有無を判定条件に加えることにより、無駄と計上される消費電力量の判定精度の向上に大いに役立つ。同様の効果は、人感センサからの出力信号を取得することでも期待できる。また、電気機器の設置された建物が店舗の場合には、店舗の閉店時間から２４：００までを夜間の消し忘れを監視する時間帯としても良く、季節による環境変化や使用状況に合わせて消し忘れの監視期間を設定することができる。このような設定は、季節や店舗の運用に即した判定が行えるため、より判定精度の向上が見込まれる。【０１４４】
設定画面Ｇ２でボタンＢ１０が選択されると、演算部１４は、図１２に示すポップアップ画面Ｇ６を表示部１２に表示させる。ポップアップ画面Ｇ６は、共通ルールを紐付けした計量ポイントの名称（例えば１Ｆ−共用部電灯など）を表示する左欄Ｗ３と、紐付けする候補となる計量ポイントを表示する右欄Ｗ４とを表示する。本実施形態のエネルギーマネジメントシステムでは、計量ポイントとグループとが対応しているため、紐付け候補の計量ポイントが階層的に表示されている。【０１４５】
さらに、ポップアップ画面Ｇ６は、設定ボタンＢ１６と、解除ボタンＢ１７と、ＯＫボタンＢ１８とを表示する。【０１４６】
設定ボタンＢ１６が選択されると、演算部１４は、右欄Ｗ４において選択された１乃至複数の計量ポイントを左欄Ｗ３に移動させるとともに共通ルールに紐付けする。この後に、ＯＫボタンＢ１８が選択されると、演算部１４は、設定ボタンＢ１６を用いて設定された内容を保存するとともに、ポップアップ画面Ｇ６を閉じる処理を行う。したがって、紐付けを行うには、共通ルールに紐付けしたい計量ポイントを右欄Ｗ２から１乃至複数選択した後に設定ボタンＢ１６を選択し、ＯＫボタンＢ１８を選択すればよい。【０１４７】
解除ボタンＢ１７が選択されると、演算部１４は、左欄Ｗ３において選択された計量ポイントを右欄Ｗ４に移動させるとともに共通ルールとの紐付けを解除する。この後に、ＯＫボタンＢ１８が選択されると、演算部１４は、解除ボタンＢ１７を用いて解除された内容を保存するとともに、ポップアップ画面Ｇ６を閉じる処理を行う。したがって、紐付けを解除するには、左欄Ｗ３に表示されている計量ポイントの中から所望の計量ポイントを選択した後に解除ボタンＢ１７を選択し、ＯＫボタンＢ１８を選択すればよい。【０１４８】
初期画面Ｇ１でボタンＢ４が選択されると、消費電力受信手段１０１は、他のシステム（エネルギーマネジメントシステムとは別のシステム）で収集された消費電力量のデータを取り込む処理を実行する。例えば他のシステムで収集された消費電力量のデータを示すファイルがＣＳＶ形式で記憶媒体（例えばメモリカード）に記憶されているとする。この場合、記憶媒体を端末装置１Ａの読取装置に差し込む。そして、ボタンＢ４が選択されると、消費電力受信手段１０１は、記憶媒体から上述のファイルを取り込む。図１３は、上述のファイルの中身を示す。図１３に示すファイルは、ファイル形式がＣＳＶ形式であり、４つのデータ列ＤＡＴ１〜ＤＡＴ４を有する。図１３において一番左のデータ列ＤＡＴ１は日付のデータである。データ列ＤＡＴ２は時刻のデータである。データ列ＤＡＴ３は共用部電灯１Ｆ北側の消費電力量を１時間毎に計量したデータである。データ列ＤＡＴ４は共用部電灯１Ｆ南側の消費電力量を１時間毎に計量したデータである。また、ファイルの先頭部分には、各データ列ＤＡＴ１〜ＤＡＴ４の内容を示す文字列や単位などが記述される。【０１４９】
初期画面Ｇ１でボタンＢ５が選択されると、演算部１４は、図１４に示すようなパラメータの設定画面Ｇ７を表示部１２に表示させる。【０１５０】
設定画面Ｇ７は、消費電力量を電力料金やＣＯ2排出量に換算するための係数（換算値）をパラメータとして入力するための画面である。なお、消費電力量の単位は、キロワット時（ｋｗｈ）に限らず、英熱量（Ｂｔｕ）やメガジュール（ＭＪ）であってもよい。つまり、消費電力量や電力料金などの単位には、各国の実情に沿った単位を使用できる。【０１５１】
設定画面Ｇ７は、消費電力量を電力料金に換算するための換算値を入力するための入力ブロックＫ２と、消費電力量をＣＯ2排出量に換算するための換算値を入力するための入力ブロックＫ３とを表示する。演算部１４は、入力ブロックＫ２，Ｋ３に入力された換算値を記憶部１３に記憶させる。記憶部１３に記憶された各換算値は、以後の演算で使用される。なお、各換算値は、ユーザが入力部１１を用いて入力しても良い。また、演算部１４が、通信部１５を用いて所定のサーバにアクセスして換算値をダウンロードしてもよい（つまり、端末装置１Ａ，１Ｂが、換算値を自動設定しても良い）。なお、図１４では、消費電力量を表示しているが、管理対象の機器が水を使用する便器（図２８参照）や、ガスを使用するコンロや湯沸かし器である場合には、水の使用量やガスの使用量を表示してもよい。この場合、設定画面Ｇ７では、水の使用量（［ｍ3］）を水道料金に換算するための係数や、ガスの使用量（［Ｎｍ3］）をガス料金に換算するための係数を入力できるようにしてもよい。【０１５２】
次に端末装置１Ａを用いて、スケジュール情報を変更した場合の消費電力量の変化をシミュレーションする処理について説明する。【０１５３】
初期画面Ｇ１でボタンＢ１やボタンＢ２が選択されると、シミュレーション結果を保存するファイルを作成または選択する処理が行われる（ステップＳ１０）。【０１５４】
次に、シミュレーションを開始する操作が行われると、演算部１４は、図１５に示すシミュレーションのトップ画面Ｇ８を表示部１２に表示させる。【０１５５】
トップ画面Ｇ８は、電卓ブロックＫ４を左側に表示し、計量ポイントの一覧を表示するウィンドウＷ５を中央に表示する。トップ画面Ｇ８は、日付ブロックＫ５，Ｋ６を画面中央下側に表示する。トップ画面Ｇ８は、カレンダ領域Ｋ７を右下に表示する。トップ画面Ｇ８は、シミュレーションのタイプを選択するためのボタンＢ１９〜Ｂ２１を左側に表示する。【０１５６】
電卓ブロックＫ４は、シミュレーション結果を表示するために用いられる。例えば、電卓ブロックＫ４は、保存された消費電力量のデータ（計測値記憶手段１０２に記憶された計測値）に、シミュレーションで選択した共通ルールを適用した場合に無駄と推定される消費電力量等を数値で表示する。【０１５７】
ウィンドウＷ５は、計量ポイントの一覧を表示する。ウィンドウＷ５は、登録された計量ポイントをリスト形式で表示する。なお、消費電力量のデータを取り込む際にグループを設定しておけば、グループ毎に計量ポイントを階層表示する。また、計量ポイントの種類（ＰＩ、ＡＩなど）毎に色分けして表示することもできる。この場合、ユーザがシミュレーションに利用できるか否かを容易に理解できる。【０１５８】
日付ブロックＫ５は、シミュレーションの開始日を表示する。【０１５９】
日付ブロックＫ６は、シミュレーションの終了日を表示する。【０１６０】
カレンダ領域Ｋ７は、カレンダを表示する。カレンダ領域Ｋ７は、消費電力量のデータがある日と消費電力量のデータがない日とを区別して表示する。例えば、カレンダ領域Ｋ７は、消費電力量のデータがない日には下線を付し、消費電力量のデータがある日には下線を付さずに表示する。このようにすれば、消費電力量のデータが存在しない日が、シミュレーション期間に選択されることを防止できる。【０１６１】
ボタンＢ１９〜Ｂ２１は、「ポイント別シミュレーション」・「日付別シミュレーション」・「状態比較」にそれぞれ対応する。ここで、ポイント別シミュレーションは、１つの計量ポイントに注目し、消し忘れ等によって有益でないと判断される時間区分が存在するか否かを判定するシミュレーションである。【０１６２】
次に、ウィンドウＷ５に表示された計量ポイントからシミュレーションを行う計量ポイントを選択する（ステップＳ１１）。【０１６３】
次に、シミュレーション期間を入力する（ステップＳ１２）。カレンダ領域Ｋ７が選択されると、演算部１４は、図１６に示すポップアップ画面Ｇ９を表示部１２に表示させる。ポップアップ画面Ｇ９では、シミュレーション期間の開始日および終了日を選択する操作を行えるようになっている。ポップアップ画面Ｇ９で選択された開始日は日付ブロックＫ５に表示され、ポップアップ画面Ｇ９で選択された終了日は日付ブロックＫ６に表示される。【０１６４】
トップ画面Ｇ８でボタンＢ１９が選択されると、演算部１４は、図１７に示すポイント別のシミュレーション画面Ｇ１０を表示部１２に表示させる。（ステップＳ１３）。【０１６５】
シミュレーション画面Ｇ１０は、縦７×横２４のマトリクス状に並べた矩形状のセルで時間帯を表示する。縦方向は日時（曜日）であり、横方向は時刻（０：００〜２４：００）である。また、シミュレーション画面Ｇ１０は、共通ルールが設定された時間帯（セル）を太線の枠ＦＬ１，ＦＬ２で囲って表示する。【０１６６】
シミュレーション画面Ｇ１０では、電気機器が使用されたか否かが使用状態表示手段１０５によって単位時間毎に表示され、電気機器の使用が有益か無駄かが評価表示手段１１６によって単位時間毎に表示される。【０１６７】
図１７に示す例では、電気機器の使用が有益と判断された単位時間（時間区分）と、電気機器の使用が無駄と判断された単位時間と、電気機器が使用されなかった単位時間とが、色分けして表示されている。なお、図１７は白黒の図であるから、便宜上、電気機器の使用が有益と判断された単位時間と無駄と判断された単位時間とをセルの塗りつぶしパターンを異ならせて表示している。電気機器の使用が有益と判断された単位時間は右上がりの斜線で表示し、電気機器の使用が無駄と判断された単位時間は網線で表示する。【０１６８】
また、シミュレーション画面Ｇ１０は、表示ブロックＫ８，Ｋ９を画面上側に表示する。表示ブロックＫ８は、シミュレーション期間を表示する。表示ブロックＫ９は、計量ポイントの名称を表示する。これら表示ブロックＫ８，Ｋ９を見ることで、前画面（トップ画面Ｇ８）で選択したパラメータの内容を容易に読み取ることができる。【０１６９】
また、シミュレーション画面Ｇ１０は、赤色のアイコンＩ１と、黄緑色のアイコンＩ２と、黄色のアイコンＩ３とを表示ブロックＫ８，Ｋ９の下側に表示する。アイコンＩ１〜Ｉ３は、左から右にアイコンＩ１，Ｉ２，Ｉ３の順で並んでいる。尚、図１７は白黒の図であるから、各アイコンＩ１〜Ｉ３の色の違いを網掛けパターンの違いで示している。すなわち、赤色のアイコンＩ１を網線で、黄緑色のアイコンＩ２を右下がりの斜線で、黄色のアイコンＩ３を右上がりの斜線でそれぞれ示している。【０１７０】
アイコンＩ１は、電気機器の使用が無駄と判断された時間区分の表示色（表示パターン）を示す。シミュレーション画面Ｇ１０は、アイコンＩ１に対応する消費電力量の合計値（図示例では１ｋＷｈ）をアイコンＩ１の右側に表示する。アイコンＩ２は、共通ルールにより電気機器の使用が無駄と判定されたが例外ルールによって無駄ではないと再評価された時間区分の表示色（表示パターン）を示す。シミュレーション画面Ｇ１０は、アイコンＩ２に対応する消費電力量の合計値（図示例では０ｋＷｈ）をアイコンＩ２の右側に表示する。アイコンＩ３は、共通ルール（タイムゾーン）が設定されていない時間帯で電気機器が使用された時間区分の表示色（表示パターン）を示す。シミュレーション画面Ｇ１０は、アイコンＩ３に対応する消費電力量の合計値（図示例では１２６ｋＷｈ）をアイコンＩ３の右側に表示する。なお、消費電力量の単位は、キロワット時（ｋｗｈ）に限らず、英熱量（Ｂｔｕ）やメガジュール（ＭＪ）であってもよい。また、消費電力量の代わりにＣＯ2排出量を表示するようにしてもよい。【０１７１】
シミュレーション画面Ｇ１０では、各単位時間（時間区分）において電気機器が使用されたか否かが色で表示されるため、表示が見やすい。また、シミュレーション画面Ｇ１０では、各時間区分において電気機器が使用されたか否かの表示とともに、計量ポイント（電気機器）の消費電力量を表す数値で表示される。そのため、スケジュール情報の設定に応じた電気機器の消費電力量をより詳細に把握できる。【０１７２】
シミュレーション画面Ｇ１０は、３つの選択ボタンＢ２２〜Ｂ２４を右上に表示する。３つの選択ボタンＢ２２〜Ｂ２４は、左から右に選択ボタンＢ２２，Ｂ２３，Ｂ２４の順で並んでいる。選択ボタンＢ２２は、制御装置５Ａ，５Ｂの現在のスケジュール情報をシミュレーション画面Ｇ１０に表示したり、端末装置１０Ａに入力したスケジュール情報の内容を対応する制御装置５Ａ，５Ｂの設定記憶手段５１Ａ，５１Ｂに記憶されたスケジュール情報の内容に反映させたりするためのスケジュール反映ボタンである。選択ボタンＢ２３は、シミュレーション実行ボタンである。選択ボタンＢ２３が選択されると、演算部１４は、シミュレーションした計量ポイントだけではなく、登録されている全ての計量ポイントにシミュレーション結果を適用した場合に、どの程度の量になるかを計算する。演算部１４は、前画面となるシミュレーション画面Ｇ１０の全体欄に再計算した結果を表示する。選択ボタンＢ２４は、シミュレーションした結果を保存するためのルール保存ボタンである。選択ボタンＢ２４が選択されると、演算部１４は、シミュレーションに用いたルールをファイルやデータベース等に保存する。【０１７３】
図１７に示すシミュレーション画面Ｇ１０は、３月１日（土曜日）から３月７日（金曜日）までの一週間の期間で、６階空調電力量の計量ポイントで計測された消費電力量をもとにシミュレーションを行った画面である。【０１７４】
判定手段１０３は、計量ポイントから取り込んだ時間毎の消費電力量を所定の閾値（待機電力量に相当）と比較する。使用情報表示手段１０５は、消費電力量が所定の閾値を超えた期間（つまり分岐回路に接続された電気機器が動作した期間）に対応するセルのみを色づけしてシミュレーション画面Ｇ１０に表示する。なお、使用情報表示手段１０５は、消費電力量が所定の閾値未満の期間（つまり電気機器が停止している期間）に対応するセルを非表示（例えば背景色や白色）とすることで、消費電力量が所定の閾値を越えた期間に対応するセルと区別して表示する。【０１７５】
また、シミュレーション画面Ｇ１０において枠ＦＬ１，ＦＬ２で囲まれた時間帯は、計量ポイントに適用された共通ルールのタイムゾーンＴＺ１，ＴＺ２を示している。タイムゾーンＴＺ１の曜日は、月曜日から金曜日までであり、時間は、午前０時から午前６時までである。タイムゾーンＴＺ２の曜日は、月曜日から金曜日までであり、時間は、午後１０時から午後１２時（午前０時）までである。【０１７６】
ここで、シミュレーション画面Ｇ１０では、セルの表示色のパターンを、セルに共通ルールが設定されているか否かで異ならせている。すなわち、共通ルールが設定されていないセルの表示は、使用状態表示手段１０５が行う。その結果、共通ルールが設定されていないセルであって電気機器が使用されたと判定されたセルは、アイコンＩ３と同じ色（網掛けパターン）で表示される。共通ルールが設定されているセルの表示は、評価表示手段１１６が行う。その結果、共通ルールが設定されたセルであって電気機器の使用が無駄と判定されたセルはアイコンＩ１と同じ色（網掛けパターン）で表示される。一方、共通ルールが設定されたセルであって電気機器の使用が有益と判定されたセルはアイコンＩ２と同じ色（網掛けパターン）で表示される。【０１７７】
図１７に示すタイムゾーンＴＺ１，ＴＺ２の設定では、３月７日（金曜日）の２２時から２３時までの電力消費が無駄と判定されている。【０１７８】
電気機器の使用状況を見れば、就業時間（例えば１７時）を過ぎた後に電気機器が使用されることが比較的多い。そこで、ユーザが、夜間の消し忘れの監視を強化することを目的として、タイムゾーンＴＺ２の始まりを２２時から２１時に変更したとする（ステップＳ１４）。なお、タイムゾーンＴＺ２の変更は、例えば、タイムゾーンＴＺ２の開始時刻を示す枠ＦＬの左辺をマウスでドラッグして移動させること等によって行える。【０１７９】
タイムゾーンＴＺ２が変更されると、評価手段１１４は、変更後のタイムゾーンＴＺ２について上述の判定ロジックＡを用いて、電気機器の使用が有益か否かを評価する（ステップＳ１５）。その後、評価表示手段１１６は、評価手段１１４の評価結果を表示する（ステップＳ１６）。【０１８０】
図１８に示すシミュレーション画面Ｇ１１は、変更後のタイムゾーンＴＺ２について電気機器の使用が無駄か否かが評価された結果を示す。【０１８１】
この評価結果では、電気機器の使用が無駄と判断された時間帯（木曜日の２１時〜２１時３０分、金曜日の２１時３０分〜２３時）が増えている。そのため、アイコンＩ３に対応する消費電力量が１２６ｋＷｈから１２４．８ｋＷｈに減少する一方、アイコンＩ１に対応する消費電力量が１ｋＷｈから２．２ｋＷｈに増加している。【０１８２】
その後、評価手段１１４は、入力部１１からの操作入力をもとに、電気機器の使用が無駄か否かの評価を実行するか否かを判定する（ステップＳ１７）。例えば、計量ポイントが変更されるとステップＳ１１に戻り、タイムゾーンが変更されるとステップＳ１３に戻る。これによって、変更後の計量ポイントやタイムゾーンで、電気機器の使用が無駄かどうかが評価される。【０１８３】
ところで、図１７に示すシミュレーション画面Ｇ１０で、所定の操作（例えば、タイムゾーンＴＺ２の枠ＦＬ２をマウスで右クリックする操作）が行われると、演算部１４は、操作メニューを示す画面（図示せず）を表示部１２にポップアップ表示させる。操作メニューを示す画面は、タイムゾーン変更用の操作ボタンを表示する。【０１８４】
上記のタイムゾーン変更用の操作ボタンが選択されると、演算部１４は、図１９に示すようなタイムゾーン変更画面Ｇ１２を表示部１２に表示させる。【０１８５】
タイムゾーン変更画面Ｇ１２は、タイムゾーンの名称・曜日・時間・判定ロジックを変更するための画面である。タイムゾーン変更画面Ｇ１２は、タイムゾーンの名称・曜日・時間・判定ロジックの変更を受け付ける。変更するタイムゾーンの名称・曜日・時間・判定ロジックの入力は、入力部１１によって行う。また、タイムゾーン変更画面Ｇ１２は、変更ボタンＢ２５を表示する。変更ボタンＢ２５が選択されると、演算部１４は、タイムゾーン変更画面Ｇ１２で入力された名称・曜日・時間・判定ロジックに基づいてタイムゾーンを変更して、記憶部１３に記憶させる。さらに、評価手段１１４は、変更されたタイムゾーンの内容で、電気機器の使用が無駄かどうかの評価を行う。【０１８６】
なお、シミュレーション画面Ｇ１０は、判定ロジックのタイプ（判定ロジックＡ〜Ｃ）に応じて枠ＦＬ１，ＦＬ２の色を変更することが好ましい。このようにすれば、タイムゾーンにどの判定ロジックが適用されているかが一目でわかり、設定ミスの防止や操作性向上が図れる。なお、枠ＦＬ１，ＦＬ２の色の代わりに、枠ＦＬ１，ＦＬ２の線種（実線・点線・破線等）や線の幅を判定ロジックのタイプに応じて変更してもよい。【０１８７】
図１７に示すシミュレーション画面Ｇ１０は、２つのタイムゾーンＴＺ１，ＴＺ２の両方に判定ロジックＡを用いた結果を示している。【０１８８】
ここで、タイムゾーンＴＺ２に判定ロジックＡではなく判定ロジックＢを用いたとする。【０１８９】
判定ロジックＢでは、タイムゾーンの終わり（最後方）の単位時間での消費電力量が所定の閾値を越えているかどうかを判定する。そして、消費電力量が所定の閾値を超えている場合、評価手段１１４は、消費電力量が所定の閾値を超えている単位時間（超過部分）をタイムゾーンの終わりから始まりに向けてさかのぼって探索していく。評価手段１１４は、連続する超過部分を１つのくくりとして、その時間帯では電気機器の使用が無駄であると判定する。消費電力量が所定の閾値を超えていない単位時間があると（超過部分が途切れると）、その単位時間より前の超過部分については、電気機器の使用が有益か無駄かの判断がつかない部分（緑色で表示）とする。また、タイムゾーンの終わりの単位時間での消費電力量が所定の閾値を越えていなければ、このタイムゾーンの超過部分の全てを電気機器の使用が有益か無駄かの判断がつかない部分（例えば緑色で表示）とする。【０１９０】
上述したように判定ロジックＢでは、評価手段１１４は、タイムゾーンの終わりにかかる使用期間を電気機器の使用が無駄な期間と判定し、それ以外の使用期間を電気機器の使用が無駄かどうかの判断ができない期間と判定する。そのため、判定ロジックＢを採用すると、図２０に示すシミュレーション画面Ｇ１３ではアイコンＩ１と同じ色で表示されるセル（金曜日の２２：００〜２３：００）が、電気機器の使用が有益か無駄かの判断がつかない部分を示す色（例えば緑色）で表示される。このような判定ロジックＢは、適用するタイムゾーン内に夜中の２４時を含む場合などに適用することが好ましい。【０１９１】
また、タイムゾーンＴＺ１に判定ロジックＡではなく判定ロジックＣを用いたとする。判定ロジックＣは、上述したように、タイムゾーンの始まりにかかる使用期間を電気機器の使用が無駄な期間と判定し、それ以外の使用期間を電気機器の使用が無駄かどうかの判断ができない期間と判定する。判定ロジックＣは、０時を含むような早朝のタイムゾーンに適用することが好ましい。【０１９２】
上記の例では、早朝のタイムゾーンＴＺ１と夜間のタイムゾーンＴＺ２とを２４時（０時）で分けている。つまり、２４時（０時）を基準として、タイムゾーンを設定している。しかし、タイムゾーンは、開店時間・閉店時間・日の出・日の入りの時刻等を基準に設定しても良い。この場合、他のシステムと連動したり、日の出・日の入り等の時刻を自動的に取得したりすることが好ましい。このようにすれば、タイムゾーンの基準が変化しても、その都度タイムゾーンの時間帯を再設定しなくて済み、利便性が増す。【０１９３】
ところで、図１７に示すシミュレーション画面Ｇ１０で、所定の操作（枠ＦＬ１，ＦＬ２以外の部分をマウスで右クリックする操作）が行われると、演算部１４は、図２１に示すようなタイムゾーン追加画面Ｇ１４を表示部１２に表示させる。【０１９４】
タイムゾーン追加画面Ｇ１４は、タイムゾーンを追加するための画面である。タイムゾーン追加画面Ｇ１４は、追加するタイムゾーンの名称・曜日・時間・判定ロジックの入力を受け付ける。追加するタイムゾーンの名称・曜日・時間・判定ロジックの入力は、入力部１１により行う。また、タイムゾーン追加画面Ｇ１４は、追加ボタンＢ２６を表示する。追加ボタンＢ２６が選択されると、演算部１４は、タイムゾーン追加画面Ｇ１４で入力された名称・曜日・時間・判定ロジックに基づいて新たなタイムゾーンを作成して、記憶部１３に記憶させる。【０１９５】
例えば、平日の昼休みにタイムゾーンを追加する場合、ユーザが入力部１１を操作して、タイムゾーン追加画面Ｇ１４を表示させる。このタイムゾーン追加画面Ｇ１４において、入力部１１を操作して、例えば、追加するタイムゾーンの名称を「平日の昼休み」、曜日を「月曜日から金曜日」、時間を「１２：００〜１２：３０」、判定ロジックを「判定ロジックＡ」と入力して、最後に追加ボタンＢ２６を選択する。【０１９６】
この場合、スケジュール入力手段１０６は、タイムゾーン追加画面Ｇ１４で入力された条件をもとに新たなタイムゾーンＴＺ３を設定する。タイムゾーンＴＺ３についての情報はスケジュール記憶手段１０７に記憶される。そして、シミュレート手段１０８は、タイムゾーンＴＺ３に応じて、各アイコンＩ１〜Ｉ３の右側に表示させる数値を再計算する。【０１９７】
また、評価手段１１４は、新たに追加されたタイムゾーンＴＺ３について、機器の使用が有益か無駄かを評価する。この場合、月曜日から金曜日の１２：００〜１２：３０の時間帯では消費電力量が所定の閾値を超えている。そのため、評価手段１１４は、月曜日から金曜日の１２：００〜１２：３０の時間帯の機器の使用を無駄と判断する。その結果、評価表示手段１１６は、図２２に示すように、新たに追加されたタイムゾーンＴＺ３を示す枠ＦＬ３をシミュレーション画面Ｇ１５に表示させ、枠ＦＬ３に対応するセルを赤色で表示する。【０１９８】
以上のように、タイムゾーンの変更や追加を行い、シミュレーションを実行することで、ユーザは、最適なスケジュール情報を決定できる。【０１９９】
図２３に示すシミュレーション画面Ｇ１６では、タイムゾーンＴＺ１の時間帯を月曜日から金曜日の０：００から７：３０に変更し、タイムゾーンＴＺ２の時間帯を月曜日から金曜日の１９：００〜２４：００に変更している。【０２００】
図２３に示すシミュレーション画面Ｇ１６において、スケジュール反映ボタンＢ２２が操作されると、演算部１４は、図２４に示すように、制御装置５Ａ，５Ｂから取り込んだスケジュール情報（制御装置５Ａ，５Ｂの設定記憶部に記憶されたスケジュール情報）を表示部１２に表示させる。【０２０１】
図２４に示すシミュレーション画面Ｇ１７では、機器が動作する時間帯を枠ＦＬ４で示している。変更前のスケジュール情報は、７：３０に機器の運転を開始し、１９：００時に機器の運転を停止することを規定する。【０２０２】
このように現在の制御装置５Ａ，５Ｂのスケジュール情報を表示させた状態（つまり図２４に示すシミュレーション画面Ｇ１７）において、スケジュール反映ボタンＢ２２が選択されると、演算部１４は、図２５に示すように、スケジュール記憶手段１０７に記憶されたスケジュール情報を表示部１２に表示させる。【０２０３】
図２５に示すシミュレーション画面Ｇ１８では、機器が動作する時間帯を枠ＦＬ５，ＦＬ６で示している。新たに入力されたスケジュール情報は、７：３０に機器の運転を開始し、１２：００に機器の運転を停止し、１２：３０に機器の運転を開始し、１９：００に機器の運転を停止することを規定する。【０２０４】
上述の場合、枠ＦＬ４内にタイムゾーンＴＺ３が設定されているので、枠ＦＬ４からタイムゾーンＴＺ３に対応する時間帯が除外される。【０２０５】
スケジュール記憶手段１０７に記憶されたスケジュール情報を表示させた状態（図２５に示すシミュレーション画面Ｇ１８）において、スケジュール反映ボタンＢ２２が選択されると、決定手段１１７は、図２６に示すように、制御装置５Ａ，５Ｂのスケジュール情報を変更するかどうかを問う（現在の設定をスケジュール制御に反映させるか否かを問う）ポップアップ画面Ｇ１９を表示部１２に表示させる。【０２０６】
ポップアップ画面Ｇ１９において、「はい」のボタンＢ２７が選択されると（つまり決定手段１１７を用いて設定記憶手段５１Ａ，５１Ｂに記憶されたスケジュール情報の変更が決定されると）、スケジュール送信手段１２１は、確認記憶手段１２０に記憶された確認結果を参照して、変更されたスケジュール情報だけを制御装置５Ａ，５Ｂに送信する。【０２０７】
このように端末装置１Ａは、新たに作成されたスケジュール情報を、通信部１５から制御装置５Ａ，５Ｂに送信する。制御装置５Ａ，５Ｂは、端末装置１Ａからスケジュール情報を受信すると、設定記憶部５１Ａ，５１Ｂに記憶されたスケジュール情報の内容を、受信したスケジュール情報の内容に更新する（ステップＳ１８）。【０２０８】
また、ルール保存ボタンＢ２４が選択されると、演算部１４は、シミュレーションした結果（ルールなど）をファイルやデータベース等に保存する（ステップＳ１９）。【０２０９】
以上説明したように本実施形態のエネルギーマネジメントシステムでは、端末装置１Ａの表示部１２に、所定期間中の消費電力量の有無（機器が使用されたか否か）が単位時間毎に表示される。ユーザは、機器の使用状態を見ながら機器のスケジュール情報を入力できる。そして、シミュレート手段１０８は、消費電力受信手段１０１が受け取った消費電力量（すなわち機器で実際に消費された電力量）に基づいて、入力されたスケジュール情報で機器が動作した場合の消費電力量を予測する。そのため、スケジュール情報の変更による省電力化の効果を理解しやすく、機器の使用形態に合わせて、実用的でより省エネルギー効果の期待できるスケジュール情報を容易に作成できる。また、本実施形態のエネルギーマネジメントシステムは、機器の消費電力量とスケジュール情報とに基づいて機器の使用が有益か無駄かを単位時間毎に判定して、その判定した結果を表示する。そのため、機器の使用が有益か無駄かを容易に理解でき、スケジュール情報の変更を適切に行える。また、スケジュール情報の変更を容易に制御装置５Ａ，５Ｂに反映させることができる。【０２１０】
本実施形態では、機器が使用されたか否かを判定手段１０３が判定している。しかしながら、制御装置５Ａ，５Ｂから機器の動作期間を示す履歴情報を取得するようにしてもよい。この場合、制御装置５Ａ，５Ｂからの履歴情報を用いて個々の機器の運転・停止を判断できる。よって、個々の機器について使用が有益か否かの判定を行える。【０２１１】
なお、本実施形態では、端末装置１Ａ，１Ｂにエネルギーマネジメントプログラムを搭載し、端末装置１Ａ，１Ｂを、少なくとも、消費電力受信手段１０１と、計測値記憶手段１０２と、判定手段１０３と、判定記憶手段１０４と、使用情報表示手段１０５と、スケジュール入力手段１０６と、スケジュール記憶手段１０７と、シミュレート手段１０８と、予測値記憶手段１０９と、予測値表示手段１１０として機能させる。このようなエネルギーマネジメントプログラムは、監視装置２に搭載されていてもよい。【０２１２】
なお、本実施形態のエネルギーマネジメントシステムは、スーパーマーケットや事業所、住宅などの建物内で監視対象の機器の消費電力量を管理するように構成されていてもよい。また、監視対象の機器は、照明器具や空調機以外の電気機器（例えば、パーソナルコンピュータや、プリンタ、コピー機、空気清浄機、換気扇）であってもよい。【０２１３】
つまり、上述のエネルギーマネジメントシステムは、機器で使用されるエネルギー資源として電気を採用し、機器で使用される電気の量（消費電力量）を管理する。しかし、監視対象の機器は、水やガスなどの流体のエネルギー資源を使用する機器であってもよい。【０２１４】
図２８は、本実施形態のエネルギーマネジメントシステムの変形例の一部を省略した概略図を示している。【０２１５】
図２８に示す建物Ｂは、１階の便所に相当するゾーンＺ５〜Ｚ７と、２階の便所に相当するゾーンＺ８とを有する。各ゾーンＺ５〜Ｚ８には、水を使用する水洗式の便器Ｔ１〜Ｔ４が複数設置される。また、各ゾーンＺ５〜Ｚ８には、各ゾーンＺ５〜Ｚ８内の人を検知する人感センサＲ５〜Ｒ８が設置される。【０２１６】
建物Ｂには、主配管７０と、主配管７０から分岐する４つの分岐配管７１〜７４が設置されている。これら配管７０〜７４は、水道管である。分岐配管７１〜７４それぞれは、便器Ｔ１〜Ｔ４それぞれに水を供給するために用いられる。また、各分岐配管７１〜７４には、流量を計測するための計量ポイントＰ１１〜Ｐ１４が設けられている。なお、図２８に示す例では、機器として便器Ｔ１〜Ｔ４を例示している。しかしながら、機器としては、便器以外にも、給湯器や、蛇口であってもよい。さらに、機器は、遠隔制御可能な止水栓であってもよい。この場合、蛇口を締め忘れたり、蛇口の締めが緩かったりしたときの無駄な水の使用を防止できる。【０２１７】
図２８に示すエネルギーマネジメントシステムは、上述した端末装置１Ａ，１Ｂおよび監視装置２に加えて、計測装置３Ａと、制御装置５Ｃとを備える。【０２１８】
計測装置３Ａは、便器Ｔ１〜Ｔ４での水の使用量を監視して監視装置２および端末装置１Ａに出力する流量監視装置である。計測装置３Ａは、建物Ｂ内に設置される流量計３１Ａ〜３４Ａと、収集装置３５Ａとを備える。各流量計３１Ａ〜３４Ａは、信号線ＬＮ５を介して収集装置３５Ａに接続される。各流量計３１Ａ〜３４Ａは、対応する計量ポイントＰ１１〜Ｐ１４での流量を所定の計測周期毎に計測する。【０２１９】
各流量計３１Ａ〜３４Ａは、所定期間中に機器で使用された水の量を計測した値を示す計測値を取得する計測値取得手段として機能する。なお、各分岐配管７１〜７４での流量は、各ゾーンＺ５〜Ｚ８に属する複数の便器Ｔ１〜Ｔ４で使用された流量の合計値である。【０２２０】
各流量計３１Ａ〜３４Ａは、取得した計測値を内蔵メモリ（図示せず）に記憶させる。各流量計３１Ａ〜３４Ａは、所定の送信周期が経過する毎に、内蔵メモリに記憶された計測値を収集装置３５Ａに出力するように構成される。【０２２１】
収集装置３５Ａは、各流量計３１Ａ〜３４Ａから出力された計測値を受信する。収集装置３５Ａは、各流量計３１Ａ〜３４Ａから受信した計測値を計測された日時と関連付けて記憶する第１記憶手段として機能する。また、収集装置３５Ａは、通信ネットワークＮＴを介し監視装置２に接続される。収集装置３５Ａは、監視装置２からの要求に応じて（例えば、監視装置２から前述の監視データ要求信号を受信すると）、各分岐配管７１〜７４での計測値を監視装置２に送信するように構成される。【０２２２】
制御装置５Ｃは、便器Ｔ１〜Ｔ４の動作を制御する便器制御装置である。制御装置５Ｃは、アドレス情報を含めた伝送信号を伝送線ＬＮ４に送出することによって、所望の便器Ｔ１〜Ｔ４または人感センサＲ５〜Ｒ８との間で伝送信号を授受する。このような制御装置５Ｃは、制御装置５Ａと同様の構成を有するから、詳細な説明を省略する。【０２２３】
そして、図２８に示す端末装置１Ａ，１Ｂの記憶部１３には、水の使用量の管理・水の使用量のシミュレーション・機器の使用が有益か否かの評価を実行するためのプログラムが搭載される。端末装置１Ａ，１Ｂがこのプログラムを実行することにより、水の使用量を管理する機能・水の使用量をシミュレートする機能・機器の使用が有益か否かの評価する機能が実現される。【０２２４】
このような端末装置１Ａ，１Ｂの動作は、消費電力量の管理等をする場合をほぼ同じであるから、詳細な説明を省略する。なお、上述の人感センサＲ５〜Ｒ８は、上述の例外ルールの使用に用いられる。【０２２５】
以上述べたように、本発明に係るエネルギーマネジメントシステムは、機器で使用されるエネルギー資源の量を管理するように構成されていればよく、エネルギー資源としては、電気に限定されず、水やガスを採用できる。つまり、本発明に係るエネルギーマネジメントシステムは、消費電力量の他に、水の使用量やガスの使用量を管理するように構成されていてもよい。また、本発明に係るエネルギーマネジメントシステムは、少なくとも１つのエネルギー資源（例えば、電力や、水、ガス）の使用量を管理するように構成されていればよい。【０２２６】
また、本実施形態では、制御装置５Ａ〜５Ｃが、機器のスケジュール情報を記憶している。しかし、スケジュール情報は、機器が有していても良い。つまり、各機器は、スケジュール情報を記憶し、記憶したスケジュール情報にしたがって動作するように構成されていてもよい。この場合、端末装置１Ａは、スケジュールの変更内容が確定すると、スケジュール入力手段１０６を用いて入力されたスケジュール情報の変更内容にしたがって、スケジュール情報を変更させる必要のある機器に対して、変更されたスケジュール情報を設定するように構成してもよい。つまり、端末装置１Ａを、各機器に対して遠隔からスケジュール情報を設定するための機器設定手段として用いるようにしてもよい。
【図１】
2009151078.tif 000003
【図２】
2009151078.tif 000004
【図３】
2009151078.tif 000005
【図４】
2009151078.tif 000006
【図５】
2009151078.tif 000007
【図６】
2009151078.tif 000008
【図７】
2009151078.tif 000009
【図８】
2009151078.tif 000010
【図９】
2009151078.tif 000011
【図１０】
2009151078.tif 000012
【図１１】
2009151078.tif 000013
【図１２】
2009151078.tif 000014
【図１３】
2009151078.tif 000015
【図１４】
2009151078.tif 000016
【図１５】
2009151078.tif 000017
【図１６】
2009151078.tif 000018
【図１７】
2009151078.tif 000019
【図１８】
2009151078.tif 000020
【図１９】
2009151078.tif 000021
【図２０】
2009151078.tif 000022
【図２１】
2009151078.tif 000023
【図２２】
2009151078.tif 000024
【図２３】
2009151078.tif 000025
【図２４】
2009151078.tif 000026
【図２５】
2009151078.tif 000027
【図２６】
2009151078.tif 000028
【図２７】
2009151078.tif 000029
【図２８】
2009151078.tif 000030
【国際調査報告】
2009151078.tif 000031
2009151078.tif 000032
2009151078.tif 000033
2009151078.tif 000034